(57)【要約】【課題】複数の携帯電話機を代表する識別情報による着信の場合、グループ内の１の利用者が確実に応答することができる通信接続装置を提供する。【解決手段】発信元からの信号を自装置が受信した場合、前記発信元と所定の携帯電話機との通信を確立する通信接続装置は、個々の携帯電話機を識別する識別情報を第１情報とし、複数の携帯電話機を代表する識別情報を第２情報とし、前記発信元からの信号を受信し、且つ受信した信号に第２情報が含まれている場合、前記第１情報と第２情報とが関連付けて記憶された記憶装置から、前記受信した信号に含まれる第２情報に関連付けられた第１情報を読み出し、読み出した第１情報にて特定される携帯電話機に対して、所定の順序にて呼び出しを行う。【選択図】図２
2007110637.tif 000002
【特許請求の範囲】
【請求項１】
発信元からの信号を自装置が受信した場合、前記発信元と所定の携帯電話機との通信を確立する通信接続装置であって、
個々の携帯電話機を識別する識別情報を第１情報とし、複数の携帯電話機を代表する識別情報を第２情報とし、
前記発信元からの信号を受信し、且つ受信した信号に第２情報が含まれている場合、前記第１情報と第２情報とが関連付けて記憶された記憶装置から、前記受信した信号に含まれる第２情報に関連付けられた第１情報を読み出す読出手段と、
前記読出手段が読み出した第１情報にて特定される携帯電話機に対して、所定の順序にて呼び出しを行う呼出手段と
を備えることを特徴とする通信接続装置。
【請求項２】
前記呼出手段は、
呼出対象である１の第１情報にて特定される携帯電話機に対する呼出を行い、前記携帯電話機の応答を監視し、監視時間が所定の時間を超えた場合には、前記携帯電話機に対する呼出を抑止し、次の順序に位置する別の第１情報が存在する場合には、前記別の第１情報にて特定される携帯電話機への呼出を行い、次の順序に位置する別の第１情報が存在しない場合には、受信した信号に対する呼出を抑止する
ことを特徴とする請求項１に記載の通信接続装置。
【請求項３】
前記記憶装置は、前記通信接続装置の内部又は外部に備えられ、
前記第２情報は、複数の携帯電話機を代表し、
前記記憶装置は、前記複数の携帯電話機それぞれを特定する第１情報と、前記第２情報とを関連付けて記憶している
ことを特徴とする請求項２に記載の通信接続装置。
【請求項４】
前記通信接続装置は、無線ＬＡＮと接続されており、
前記記憶装置は、
前記複数の第１情報それぞれに対して、前記無線ＬＡＮの通信範囲内に、前記第１情報にて特定される携帯電話機が存在するか否かを示す存在フラグを付加して記憶しており、
前記読出手段は、
前記複数の第１情報それぞれに対する存在フラグに基づいて、前記複数の第１情報それぞれにて特定される携帯電話機のうち前記通信範囲内に存在する１以上の携帯電話機の第１情報を読み出し、
前記呼出手段は、前記無線ＬＡＮを用いて呼出を行う
ことを特徴とする請求項３に記載の通信接続装置。
【請求項５】
前記通信接続装置は、さらに、電話回線網と接続され、
前記複数の第１情報それぞれに対する存在フラグに基づいて、前記通信範囲外に存在する１以上の携帯電話機の第１情報を読み出し、読み出した１以上の携帯電話機の第１情報を用いて、前記通信範囲外に存在する１以上の携帯電話機に対する呼出順序を決定する範囲外情報読出手段を備え、
前記呼出手段は、前記通信範囲内に存在する１以上の携帯電話機の全てが呼出に応じない場合には、前記範囲外情報読出手段にて読み出された１以上の第１情報にて特定される携帯電話機に対して、前記電話回線網を介して、所定の順序にて呼び出しを行う
ことを特徴とする請求項４に記載の通信接続装置。
【請求項６】
前記記憶装置は、さらに、各第１情報に対して、呼出の優先順位を示す順位情報を対応付けて記憶しており、
前記読出手段は、前記順位情報に基づいて、読み出した１以上の第１情報に対して、優先順位が高い順に呼び出しが行われるように呼出順序を決定し、
前記呼出手段は、前記読出手段にて決定された呼出順序にて呼び出しを行う
ことを特徴とする請求項３に記載の通信接続装置。
【請求項７】
前記発信元からの信号は、さらに、所定の位置を示す基準位置情報を含み、
前記通信接続装置は、さらに、
前記携帯電話機の存在位置を示す端末位置情報を取得する取得手段を備え、
前記読出手段は、
前記受信した信号から前記基準位置情報を取得し、
呼出の対象である前記１以上の第１情報それぞれにて特定される携帯電話機の端末位置情報を取得するように前記取得手段を制御し、
前記基準位置情報と前記取得手段にて取得した各端末位置情報とを用いて、前記所定の位置から、前記１以上の第１情報それぞれにて特定される携帯電話機が存在する存在位置までの各距離を算出し、算出された各距離が短い順に呼び出しが行われるように呼出順序を決定する
ことを特徴とする請求項３に記載の通信接続装置。
【請求項８】
前記通信接続装置は、さらに、
前記携帯電話機の存在位置を示す端末位置情報を取得する取得手段を備え、
前記読出手段は、
読み出した前記１以上の第１情報それぞれにて特定される各携帯電話機に対する端末位置情報を取得するように前記取得手段を制御し、
前記取得手段にて取得した各端末位置情報に基づいて、前記通信接続装置が設置された場所から、読み出した前記１以上の第１情報それぞれに対応する携帯電話機が存在する存在位置までの各距離を算出し、算出された各距離が短い順に呼び出しが行われるように呼出順序を決定する
ことを特徴とする請求項３に記載の通信接続装置。
【請求項９】
前記発信元からの信号は、さらに、所定の位置を示す基準位置情報を含み、
前記通信接続装置は、さらに、
前記携帯電話機の存在位置を示す端末位置情報を取得する取得手段を備え、
前記読出手段は、
前記受信した信号から前記基準位置情報を取得し、
前記各第１情報にて特定される携帯電話機それぞれに対する端末位置情報を取得するように前記取得手段を制御し、
前記基準位置情報と前記取得手段にて取得した各端末位置情報とに基づいて、前記所定の位置から、各携帯電話機が存在する存在位置までの各距離を算出し、算出された各距離を用いて、所定の距離内に存在する１以上の携帯電話機の第１情報を前記記憶装置から読み出す
ことを特徴とする請求項３に記載の通信接続装置。
【請求項１０】
前記通信接続装置は、無線ＬＡＮ及び電話回線網と接続されており、
前記記憶装置は、さらに、
前記複数の第１情報それぞれに対して、前記無線ＬＡＮによる通信範囲内に、前記第１情報にて特定される携帯電話機が存在するか否かを示す存在フラグを付加して記憶しており、
前記読出手段は、
前記複数の第１情報に対する存在フラグに基づいて、前記複数の第１情報それぞれにて特定される携帯電話機のうち前記通信範囲外に存在する１以上の携帯電話機の第１情報を読み出し、
前記呼出手段は、前記電話回線網を介して、所定の順序にて呼出を行う
ことを特徴とする請求項３に記載の通信接続装置。
【請求項１１】
発信元からの信号を自装置が受信した場合、前記発信元と所定の携帯電話機との通信を確立する通信接続装置に用いられる呼出方法であって、
個々の携帯電話機を識別する識別情報を第１情報とし、複数の携帯電話機を代表する識別情報を第２情報とし、
前記発信元からの信号を受信し、且つ受信した信号に第２情報が含まれている場合、前記第１情報と第２情報とが関連付けて記憶された記憶装置から、前記受信した信号に含まれる第２情報に関連付けられた第１情報を読み出す読出ステップと、
前記読出手段が読み出した第１情報にて特定される携帯電話機に対して、所定の順序にて呼び出しを行う呼出ステップと
を含むことを特徴とする呼出方法。
【発明の詳細な説明】
【技術分野】
【０００１】
本発明は、複数の携帯電話機から構成されるグループを代表する識別情報、例えば代表電話番号を用いて、グループに属する携帯電話機の呼び出しを行う技術に関する。
【背景技術】
【０００２】
近年、携帯電話機の急速な普及により、個人ごとに携帯電話機を所有する利用者が増え、個人間の連絡が非常に容易に行えるようになっている。
しかしながら、発信者が、例えば、家族の誰か、あるいは商店や事務所の誰かなど個人を特定することなく連絡をとりたい場合には、そこに属する複数人のそれぞれが所有する携帯電話機の電話番号を知り得なければならず、また、そこに属する誰かと通話ができるまで、携帯電話機を用いて接続の操作を繰り返す必要がある。そのため、発信者は、操作上、不便さを感じることがある。
【０００３】
そこで、特許文献１において、構内に設置された交換機に予め複数の携帯電話機それぞれの電話番号を１のグループとして登録し、登録されたグループを示す代表電話番号への着信がある場合には、グループに属する各電話番号に対して、一斉に呼出を行い、応答があった全ての携帯電話機と接続を行う技術が開示されている。
【特許文献１】特開２００３−１４３３０３号公報
【発明の開示】
【発明が解決しようとする課題】
【０００４】
上記にて示す交換機は、代表電話番号への着信がある場合には、グループに属する各電話番号に対して、一斉に呼出を行う。このとき、呼出先の各利用者は、自分に対する呼出という意識よりもグループの誰かに対する呼出という意識の方が高くなり、グループの誰かが応答してくれることを期待し、着信に対する応答が遅れるという問題がある。
そこで、本発明は、上記の問題に鑑みて、複数の携帯電話機を代表する識別情報（代表の電話番号やそれに準ずる記号）による着信の場合、グループ内の１の利用者が確実に応答することができる通信接続装置及び呼出方法を提供することを目的とする。
【課題を解決するための手段】
【０００５】
上記目的を達成するために、本発明は、発信元からの信号を自装置が受信した場合、前記発信元と所定の携帯電話機との通信を確立する通信接続装置であって、個々の携帯電話機を識別する識別情報を第１情報とし、複数の携帯電話機を代表する識別情報を第２情報とし、前記発信元からの信号を受信し、且つ受信した信号に第２情報が含まれている場合、前記第１情報と第２情報とが関連付けて記憶された記憶装置から、前記受信した信号に含まれる第２情報に関連付けられた第１情報を読み出す読出手段と、前記読出手段が読み出した第１情報にて特定される携帯電話機に対して、所定の順序にて呼び出しを行う呼出手段とを備えることを特徴とする。
【発明の効果】
【０００６】
上記に示した構成によると、通信接続装置は、第２情報を含む信号を受信すると、受信した信号に含まれる第２情報に関連付けられた第１情報を読み出し、読み出した第１情報にて特定される携帯電話機に対して、所定の順序にて呼び出しを行う。これにより、通信接続装置にて読み出された第１情報にて特定される携帯電話機の所有者は、自分に対する呼出という意識の方がグループの誰かに対する呼出という意識よりも高くなるので、呼出に対する応答を確実に行うようになる。
【発明を実施するための最良の形態】
【０００７】
１．第１の実施の形態
本発明に係る第１の実施の形態としての通信接続装置１０について説明する。
１．１  概要
図１は、通信接続システム１を示す図である。通信接続システム１は、通信接続装置１０、携帯電話機２０、２１、２２、２３、２４、３０、位置登録サーバ４０、公衆基地局装置４１、４２及び携帯電話回線網４３とから構成されている。
【０００８】
通信接続装置１０は、家屋内（以下、単に、「屋内」）に設置されており、携帯電話機２０、２１、２２、２３、２４のそれぞれに割り当てられた電話番号と、携帯電話機２０、２１、２２、２３、２４を１のグループとし、そのグループを代表する代表電話番号とを予め記憶している。ここでは、例えば、代表電話番号は、携帯電話機２０、２１、２２、２３、２４のそれぞれに割り当てられた電話番号とは異なる電話番号であり、通信接続装置１０に対して割り当てられている。また、通信接続装置１０に割り当てられた代表電話番号は、他の通信接続装置（図示せず）に割り当てられた代表電話番号とは異なる電話番号である。また、通信接続装置１０は、無線ＬＡＮによる通信機能と携帯電話回線網４３を介する通信機能とを備えており、無線ＬＡＮによる通信可能なエリアは、当該通信接続装置１０が設置された屋内とし、通信可能なエリアの外を家屋外（以下、「屋外」）とする。
【０００９】
位置登録サーバ４０は、携帯電話機からの位置登録要求に基づいて、携帯電話機の現在位置を管理する。例えば、位置登録サーバ４０は、管理する情報として、携帯電話機の電話番号と、携帯電話機が属するエリアの公衆基地局装置及び通信接続装置を一意に識別するための局ＩＤとからなる組を記憶している。
また、位置登録サーバ４０は、通信接続装置１０を識別する局ＩＤと、通信接続装置１０に割り当てられた代表電話番号とからなる組を記憶している。
【００１０】
携帯電話機２０、２１、２２、２３、２４は、無線ＬＡＮによる通信機能及びＣＤＭＡ（Ｃｏｄｅ  Ｄｉｖｉｓｉｏｎ  Ｍｕｌｔｉｐｌｅ  Ａｃｃｅｓｓ）による通信機能とを備えている。携帯電話機２０、２１、２２、２３、２４のそれぞれは、公衆基地局装置のエリア内に入ると、公衆基地局装置のパイロット信号を受信し、ＣＤＭＡによる通信を行うように制御する。また、携帯電話機２０、２１、２２、２３、２４のそれぞれは、通信接続装置１０のエリア内に入ると、通信接続装置１０のパイロット信号を受信し、無線ＬＡＮによる通信を行うように制御する。携帯電話機２０、２１、２２、２３、２４のそれぞれは、公衆基地局装置４１及び通信接続装置１０の共通のエリア内に存在する場合には、公衆基地局装置４１のパイロット信号と通信接続装置１０のパイロット信号とを受信するが、この場合には、通信接続装置１０への接続が優先され、無線ＬＡＮによる通信を行うように制御する。なお、携帯電話機２０、携帯電話機２１、携帯電話機２２は通信接続装置１０が設置された屋内に存在し、携帯電話機２３、携帯電話機２４及び携帯電話機３０は屋外に存在しているものとする。
【００１１】
携帯電話機３０は、公衆基地局装置４１、携帯電話回線網４３及び通信接続装置１０を介して、代表電話番号を用いて呼び出しを行う。通常、携帯電話機３０から他の携帯電話機への呼出が行われる場合には、他の携帯電話機へ着信信号が送信される。着信信号には、少なくとも着信である旨の情報と、発信元の電話番号と、相手先の電話番号とが含まれる。
【００１２】
また、代表電話番号により呼出がなされる１以上の電話番号に対して優先順位に基づく呼出を指示する場合には、優先順位を要求する旨の優先順位要求情報が着信信号に含まれる。また、屋内に存在する携帯電話機を呼出の対象とする場合には、その旨を示す第１呼出対象情報が着信信号に含まれ、屋内に存在する携帯電話機及び屋外に存在する携帯電話機を呼出の対象とする場合には、その旨を示す第２呼出対象情報が着信信号に含まれる。
【００１３】
通信接続装置１０は、公衆基地局装置４１及び携帯電話回線網４３を介して、携帯電話機３０から代表電話番号への着信信号を検出すると、着信信号に含まれる情報に基づいて１以上の呼出対象の携帯電話機を決定し、決定された１以上の携帯電話機に対して、順次呼び出しを行う。
１．２  通信接続装置１０の構成
通信接続装置１０は、図２に示すように、回線ＩＦ部１０１、電話番号記憶部１０２、優先順位記憶部１０３、呼出対象確認部１０４、呼出処理部１０５、無線ＩＦ部１０６、アンテナ１０７、通話処理部１０８、転送処理部１０９及び登録部１１０から構成されている。
【００１４】
通信接続装置１０は、具体的には、マイクロプロセッサ、ＲＯＭ、ＲＡＭ、ハードディスクユニット、ディスプレイユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、通信接続装置１０は、その機能を達成する。
【００１５】
（１）回線ＩＦ部１０１
回線ＩＦ部１０１は、携帯電話回線網４３と接続するためのインタフェース部である。具体的には、光回線とのインタフェースである。なお、光回線とのインタフェースに限らず、例えば、ＡＤＳＬとのインタフェースであってもよい。
回線ＩＦ部１０１は、携帯電話機３０からの発信に対し、公衆基地局装置４１及び携帯電話回線網４３を介して受信信号を受信する。ここで、受信信号とは、例えば、電話着信時の着信信号及び通話時の音声信号等である。
【００１６】
回線ＩＦ部１０１は、受信した受信信号が着信信号である場合には、受信した着信信号を呼出対象確認部１０４へ出力し、受け取った受信信号が音声信号である場合には、通話処理部１０８へ出力する。
回線ＩＦ部１０１は、通話処理部１０８から音声信号を受け取ると、受け取った音声信号を、携帯電話回線網４３及び公衆基地局装置４１を介して、携帯電話機３０へ送信する。
【００１７】
回線ＩＦ部１０１は、登録部１１０から位置登録要求を受け取ると、受け取った位置登録要求と、当該通信接続装置１０に割り当てられた局ＩＤとを、携帯電話回線網４３を介して位置登録サーバ４０へ送信する。ここで、位置登録要求は、携帯電話機の電話番号と、登録要求する旨の情報とからなる。
回線ＩＦ部１０１は、転送処理部１０９から転送の処理に係る信号を受け取ると、受け取った信号を、携帯電話回線網４３を介して、転送先の携帯電話機へ送信する。
【００１８】
また、回線ＩＦ部１０１は、呼出対象確認部１０４から携帯電話機３０へ送信する信号を受け取ると、受け取った信号を、携帯電話回線網４３及び公衆基地局装置４１を介して、携帯電話機３０へ送信する。
（２）電話番号記憶部１０２
電話番号記憶部１０２は、図３に示すように、代表番号記憶領域１５０及び個別番号記憶領域１６０を有している。
【００１９】
代表番号記憶領域１５０は、携帯電話機２０、２１、２２、２３、２４から構成されるグループを代表する代表電話番号１５１を予め記憶している。
個別番号記憶領域１６０は、図３に示すように、個別電話番号と存在フラグとを複数記憶するための領域を備える番号管理テーブルＴ１００を有している。
個別電話番号は、代表電話番号１５１にて示されるグループに属する個別の電話番号を示す。存在フラグは、個別電話番号に示される携帯電話機が当該通信接続装置１０のエリア内に存在するか否かを示し、数値「１」はエリア内、つまり屋内に存在することを示し、数値「０」は、エリア外、つまり屋外に存在することを示す。
【００２０】
ここでは、５件の個別の電話番号１６１、１６２、１６３、１６４，１６５を記憶している。電話番号１６１は携帯電話機２０に割り当てられており、電話番号１６２は携帯電話機２１に割り当てられており、電話番号１６３は携帯電話機２２に割り当てられており、電話番号１６４は携帯電話機２３に割り当てられており、電話番号１６１は携帯電話機２４に割り当てられている。
【００２１】
なお、代表電話番号を予め記憶する際には、当該通信接続装置１０により書き込みが行われる。また、個別の電話番号を番号管理テーブルＴ１００に予め記憶する際にも、当該通信接続装置１０により書き込みが行われる。
（３）優先順位記憶部１０３
優先順位記憶部１０３は、図４にて示す優先順位テーブルＴ１１０を有している。
【００２２】
優先順位テーブルＴ１１０は、優先順位と個別電話番号とからなる組を１以上記憶するための領域を有している。
優先順位は、呼出の順位の優先度を示す数値であり、数値が小さいほど優先度が高い。個別電話番号は、個別番号記憶領域１６０にて記憶されている電話番号である。ここでは、例えば、携帯電話機２０に割り当てられた電話番号の優先度が一番高く、次に優先度が高い電話番号は、携帯電話機２２に割り当てられた電話番号であり、残りの優先順位は携帯電話機２１に割り当てられた電話番号、携帯電話機２４へ割り当てられた電話番号、携帯電話機２３へ割り当てられた電話番号の順となる。
【００２３】
（４）呼出対象確認部１０４
呼出対象確認部１０４は、屋内に存在する呼出対象の電話番号からなる屋内用呼出リスト及び屋外に存在する呼出対象の電話番号からなる屋外用呼出リストを記憶するためのリスト記憶領域を有している。
呼出対象確認部１０４は、回線ＩＦ部１０１から着信信号を受け取る。
【００２４】
呼出対象確認部１０４は、受け取った着信信号に含まれる相手先の電話番号が代表電話番号１５１と一致するか否かを判断する。
相手先の電話番号が代表電話番号１５１と一致しないと判断する場合には、呼出対象確認部１０４は、受け取った着信信号と、個別の電話番号に対する着信である旨の情報とを呼出処理部１０５へ出力する。
【００２５】
相手先の電話番号が代表電話番号１５１と一致すると判断する場合には、呼出対象確認部１０４は、呼出の対象を示す情報として第１呼出対象情報が着信信号に含まれているか、第２呼出対象情報が着信信号に含まれているかを判断する。
（第１呼出対象情報が含まれている場合）
第１呼出対象情報が含まれていると判断する場合には、呼出対象確認部１０４は、番号管理テーブルＴ１００から存在フラグの値が「１」である電話番号を全て取得する。ここでは、携帯電話機２０、２１、２２のそれぞれに割り当てられた電話番号１６１、１６２、１６３を番号管理テーブルＴ１００から取得する。
【００２６】
呼出対象確認部１０４は、取得した全ての電話番号を用いて、電話番号が番号管理テーブルＴ１００に格納されている順序に従って、呼出対象の電話番号からなる屋内用呼出リストを生成する。図５（ａ）にて示す屋内用呼出リストＴ１２０は、生成した屋内用呼出リストの一例である。
呼出対象確認部１０４は、着信信号に優先順位要求情報が含まれているか否かを判断する。着信信号に優先順位要求情報が含まれていると判断する場合には、呼出対象確認部１０４は、優先順位テーブルＴ１１０を取得して、取得した優先順位テーブルＴ１１０に基づいて、生成した屋内用呼出リストが優先順位の順となるように並び替えを行う。図５（ｂ）にて示す屋内用呼出リストＴ１２１は、優先順位テーブルＴ１１０に基づいて、屋内用呼出リストＴ１２０を並び替えた結果である。呼出対象確認部１０４は、並び替えが行われた屋内用呼出リストをリスト記憶領域へ格納する。
【００２７】
着信信号に優先順位要求情報が含まれていないと判断する場合には、生成した屋内用呼出リストをリスト記憶領域へ格納する。
呼出対象確認部１０４は、リスト記憶領域にて格納している屋内用呼出リストの最上位に位置する呼出対象の電話番号を取得し、取得した呼出対象の電話番号と、回線ＩＦ部１０１から受け取った着信信号と、代表電話番号に対する着信である旨の情報とを呼出処理部１０５へ出力する。また、呼出対象確認部１０４は、現在の呼出対象の電話番号を示す信号を、回線ＩＦ部１０１を介して、携帯電話機３０へ送信する。このとき、携帯電話機３０では、現在、呼出がなされている電話番号として、受け取った信号にて示される電話番号をディスプレイにて表示する。なお、ディスプレイの表示に限定されない。音声案内であってもよい。
【００２８】
呼出対象確認部１０４は、呼出処理部１０５による呼出の処理がタイムアウトした旨の呼出タイムアウト情報を受け取ると、屋内用呼出リストの最上位に位置する呼出対象の電話番号を破棄し、残りの呼出対象の電話番号からなる屋内用呼出リストへと更新する。図５（ｃ）にて示す屋内用呼出リストＴ１２２は、携帯電話機２０からの応答がない場合に、携帯電話機２０に割り当てられた電話番号を破棄した場合の更新結果である。呼出対象確認部１０４は、更新した屋内用呼出リストの最上位に位置する電話番号と、回線ＩＦ部１０１から受け取った着信信号と、代表電話番号に対する着信である旨の情報とを呼出処理部１０５へ出力する。
【００２９】
呼出対象確認部１０４は、残りの呼出対象の電話番号が存在しない場合には、屋内に存在する全ての呼出対象の携帯電話機からの応答がない旨の信号を、回線ＩＦ部１０１を介して、携帯電話機３０へ送信する。このとき、携帯電話機３０では、屋内に存在する全ての呼出対象の携帯電話機からの応答がない旨をディスプレイにて表示する。なお、ディスプレイの表示に限定されない。音声案内であってもよい。
【００３０】
（第２呼出対象情報が含まれている場合）
第２呼出対象情報が含まれていると判断する場合には、呼出対象確認部１０４は、屋内用呼出リストを生成する。屋内用呼出リストの生成の動作は、第２呼出対象情報が含まれている場合における屋内用呼出リストの生成の動作と同様であるため、ここでの説明は省略する。
【００３１】
呼出対象確認部１０４は、番号管理テーブルＴ１００から存在フラグの値が「０」である電話番号を全て取得する。ここでは、携帯電話機２３、２４のそれぞれに割り当てられた電話番号１６４、１６５を番号管理テーブルＴ１００から取得する。
呼出対象確認部１０４は、取得した全ての電話番号を用いて、電話番号が番号管理テーブルＴ１００に格納されている順序に従って、呼出対象の電話番号からなる屋外用呼出リストを生成する。図６（ａ）にて示す屋外用呼出リストＴ１３０は、生成した屋外用呼出リストの一例である。
【００３２】
呼出対象確認部１０４は、着信信号に優先順位要求情報が含まれているか否かを判断する。含まれていると判断する場合には、呼出対象確認部１０４は、優先順位テーブルＴ１１０を取得して、取得した優先順位テーブルＴ１１０に基づいて、生成した屋内用呼出リスト及び屋外用呼出リストが優先順位の順となるように並び替えを行う。図６（ｂ）にて示す屋外用呼出リストＴ１３１は、優先順位テーブルＴ１１０に基づいて、屋外用呼出リストＴ１３０を並び替えた結果である。
【００３３】
呼出対象確認部１０４は、並び替えが行われた屋内用呼出リスト及び屋外用呼出リストをリスト記憶領域へ格納する。
含まれていないと判断する場合には、生成した屋内用呼出リスト及び屋外用呼出リストをリスト記憶領域へ格納する。
呼出対象確認部１０４は、リスト記憶領域にて格納している屋内用呼出リストの最上位に位置する呼出対象の電話番号を取得し、取得した呼出対象の電話番号と、回線ＩＦ部１０１から受け取った着信信号と、代表電話番号に対する着信である旨の情報とを呼出処理部１０５へ出力する。以降の動作は、着信信号に第１呼出対象情報が含まれている場合と同様の動作であるため、説明は省略する。
【００３４】
呼出対象確認部１０４は、屋内用呼出リストにて示される全ての呼出対象の携帯電話機からの応答がない旨の信号を、携帯電話機３０へ送信すると、以下の動作を行う。
呼出対象確認部１０４は、リスト記憶領域にて格納している屋外用呼出リストの最上位に位置する呼出対象の電話番号を取得し、取得した呼出対象の電話番号と、回線ＩＦ部１０１から受け取った着信信号と、代表電話番号に対する着信である旨の情報とを転送処理部１０９へ出力する。また、呼出対象確認部１０４は、現在の呼出対象の電話番号を示す信号を、回線ＩＦ部１０１を介して、携帯電話機３０へ送信する。このとき、携帯電話機３０では、現在、呼出がなされている電話番号として、受け取った信号にて示される電話番号をディスプレイにて表示する。なお、ディスプレイの表示に限定されない。音声案内であってもよい。
【００３５】
呼出対象確認部１０４は、転送処理部１０９による転送の処理がタイムアウトした旨の転送タイムアウト情報を受け取ると、屋外用呼出リストの最上位に位置する呼出対象の電話番号を破棄し、残りの呼出対象の電話番号からなる屋外用呼出リストへと更新する。呼出対象確認部１０４は、更新した屋外用呼出リストの最上位に位置する電話番号と、回線ＩＦ部１０１から受け取った着信信号と、代表電話番号に対する着信である旨の情報とを転送処理部１０９へ出力する。
【００３６】
呼出対象確認部１０４は、残りの呼出対象の電話番号が存在しない場合には、屋外に存在する全ての呼出対象の携帯電話機からの応答がない旨の信号を、回線ＩＦ部１０１を介して、携帯電話機３０へ送信する。このとき、携帯電話機３０では、屋外の存在する全ての呼出対象の携帯電話機からの応答がない旨をディスプレイにて表示する。なお、ディスプレイの表示に限定されない。音声案内であってもよい。
【００３７】
（５）呼出処理部１０５
呼出処理部１０５は、個別の電話番号に対する着信である旨の情報と着信信号とを受け取ると、受け取った着信信号に含まれる相手先の電話番号が割り当てられた携帯電話機に対して、無線ＩＦ部１０６を介して、呼出に係る処理を行う。該当の携帯電話機にて着信に対する応答があった場合には、当該携帯電話機への通話に係る接続処理を行い、通話を開始する。
【００３８】
呼出処理部１０５は、代表電話番号に対する着信である旨の情報と、呼出対象の電話番号と着信信号とを受け取ると、受け取った呼出対象の電話番号が割り当てられた携帯電話機に対して、無線ＩＦ部１０６を介して、呼出に係る処理を行う。このとき、呼出処理部１０５は、所定の時間内における応答を監視する。
所定の時間内に応答があった場合には、呼出処理部１０５は、当該携帯電話機への通話に係る接続処理を行い、通話を開始する。
【００３９】
所定の時間内に応答がない場合には、呼出処理部１０５は、受け取った呼出対象の電話番号の携帯電話機に対する呼出に係る処理を抑止して、呼出タイムアウト情報を呼出対象確認部１０４へ出力する。
ここで、呼出に係る処理の一例を以下に示す。
呼出処理部１０５は、個別の電話番号に対する着信である旨の情報と着信信号とを受け取ると、受け取った着信信号を呼出の処理に係る信号として、無線ＩＦ部１０６を介して、該当する携帯電話機へ送信する。
【００４０】
呼出処理部１０５は、代表電話番号に対する着信である旨の情報と、呼出対象の電話番号と着信信号とを受け取ると、受け取った着信信号に含まれる相手先の電話番号を、呼出対象の電話番号へと変更し、変更された着信信号を呼出の処理に係る信号として、無線ＩＦ部１０６を介して、該当する携帯電話機へ送信する。
（６）転送処理部１０９
転送処理部１０９は、代表電話番号に対する着信である旨の情報と、呼出対象の電話番号と着信信号とを受け取ると、受け取った呼出対象の電話番号が割り当てられた携帯電話機に対して、回線ＩＦ部１０１を介して、転送に係る処理、つまり受け取った呼出対象の電話番号の携帯電話機に対する呼出の処理を行う。このとき、転送処理部１０９は、所定の時間内における応答を監視する。
【００４１】
所定の時間内に応答があった場合には、転送処理部１０９は、当該携帯電話機への通話に係る接続処理を行い、通話を開始する。
所定の時間内に応答がない場合には、転送処理部１０９は、受け取った呼出対象の電話番号の携帯電話機に対する転送に係る処理を抑止して、転送タイムアウト情報を呼出対象確認部１０４へ出力する。
【００４２】
なお、転送処理部１０９が、受け取った呼出対象の電話番号が割り当てられた携帯電話機に対して、転送に係る処理を行うと、携帯電話回線網４３では、位置登録サーバ４０に登録されている転送先（呼出対象）の携帯電話機と対応付けて記憶されている局ＩＤに基づいて、公衆基地局装置を決定し、決定した公衆基地局装置へ転送の処理の係る信号を送信し、転送の処理に係る信号を受信した公衆基地局装置は該当する携帯電話機へ転送の処理に係る信号を送信する。
【００４３】
ここで、転送に係る処理の一例を以下に示す。
転送処理部１０９は、代表電話番号に対する着信である旨の情報と、呼出対象の電話番号と着信信号とを受け取ると、受け取った着信信号に含まれる相手先の電話番号を、呼出対象の電話番号へと変更し、変更された着信信号を呼出の処理に係る信号として、回線ＩＦ部１０１を介して、該当する携帯電話機へ送信する。
【００４４】
（７）無線ＩＦ部１０６
無線ＩＦ部１０６は、屋内にある携帯電話機と無線ＬＡＮにて通信を行うためのインタフェースである。
無線ＩＦ部１０６は、呼出処理部１０５から呼出処理に係る信号を受け取ると、受け取った信号を、アンテナ１０７を介して該当する携帯電話機へ無線により送信する。
【００４５】
無線ＩＦ部１０６は、アンテナ１０７を介して、携帯電話機から無線により音声信号を受信すると、受信した音声信号を通話処理部１０８へ出力する。また、無線ＩＦ部１０６は、通話処理部１０８から音声信号を受け取ると、受け取った音声信号を、アンテナ１０７を介して送信対象の携帯電話機へ無線により送信する。
無線ＩＦ部１０６は、屋内にある携帯電話機から位置登録要求を受信すると、受信した位置登録要求を登録部１１０へ出力する。
【００４６】
（８）通話処理部１０８
通話処理部１０８は、無線ＩＦ部１０６から音声信号を受け取ると、受け取った音声信号を回線ＩＦ部１０１へ出力する。
通話処理部１０８は、回線ＩＦ部１０１から音声信号を受け取ると、受け取った音声信号を無線ＩＦ部１０６へ出力する。
【００４７】
（９）登録部１１０
登録部１１０は、無線ＩＦ部１０６から位置登録要求を受け取ると、受け取った位置登録要求にて示される電話番号に対応する番号管理テーブルＴ１００内の存在フラグの値を「１」とする。登録部１１０は、受け取った位置登録要求を、回線ＩＦ部１０１を介して位置登録サーバ４０へ送信する。
【００４８】
登録部１１０は、番号管理テーブルＴ１００にて管理している全ての電話番号に対して、位置登録要求の受け取り状況を管理する。一定期間内に位置登録要求がない電話番号が存在する場合には、その電話番号に対応する番号管理テーブルＴ１００内の存在フラグの値を「０」とする。
１．３  動作
ここでは、通信接続装置１０の動作について、図７、図８及び図９にて示す流れ図を用いて説明する。
【００４９】
回線ＩＦ部１０１は、携帯電話機３０からの発信に対し、公衆基地局装置４１及び携帯電話回線網４３を介して着信信号を受信する（ステップＳ５）。回線ＩＦ部１０１は、受信した着信信号を呼出対象確認部１０４へ出力する。呼出対象確認部１０４は、回線ＩＦ部１０１から着信信号を受け取る。
呼出対象確認部１０４は、受け取った着信信号による着信が代表電話番号への着信であるか否かを判断する（ステップＳ１０）。ここでは、呼出対象確認部１０４は、受け取った着信信号に含まれる相手先の電話番号が代表電話番号１５１と一致するか否かを判断する。
【００５０】
相手先の電話番号が代表電話番号１５１と一致しないと判断する場合、つまり代表電話番号への着信でないと判断する場合には（ステップＳ１０における「ＮＯ」）、通信接続装置１０は、個別の電話番号への接続に係る処理を行う（ステップＳ１５）。
相手先の電話番号が代表電話番号１５１と一致すると判断する場合、つまり代表電話番号への着信であると判断する場合には（ステップＳ１０における「ＹＥＳ」）、呼出対象確認部１０４は、呼出の対象を示す情報として第１呼出対象情報が着信信号に含まれているか否かを判断する（ステップＳ２０）。
【００５１】
第１呼出対象情報が含まれていると判断する場合には（ステップＳ２０における「ＹＥＳ」）、呼出対象確認部１０４は、番号管理テーブルＴ１００から存在フラグの値が「１」である電話番号を全て取得する。呼出対象確認部１０４は、取得した全ての電話番号を用いて、呼出対象の電話番号からなる屋内用呼出リストを生成する（ステップＳ２５）。
呼出対象確認部１０４は、着信信号に優先順位要求情報が含まれているか否かを判断する（ステップＳ３０）。着信信号に優先順位要求情報が含まれていると判断する場合には（ステップＳ３０における「ＹＥＳ」）、呼出対象確認部１０４は、優先順位テーブルＴ１１０を取得して、取得した優先順位テーブルＴ１１０に基づいて、生成した屋内用呼出リストが優先順位の順となるように並び替えを行う（ステップＳ３５）。呼出対象確認部１０４は、並び替えが行われた屋内用呼出リストをリスト記憶領域へ格納する（ステップＳ４０）。着信信号に優先順位要求情報が含まれていないと判断する場合には（ステップＳ３０における「ＮＯ」）、ステップＳ４０へ移り、生成した屋内用呼出リストをリスト記憶領域へ格納する。
【００５２】
呼出対象確認部１０４は、リスト記憶領域にて格納している屋内用呼出リストの最上位に位置する呼出対象の電話番号を取得し、取得した呼出対象の電話番号と回線ＩＦ部１０１から受け取った着信信号と代表電話番号に対する着信である旨の情報とを、呼出処理部１０５へ出力する。呼出処理部１０５は、代表電話番号に対する着信である旨の情報と、呼出対象の電話番号と着信信号とを受け取ると、受け取った呼出対象の電話番号が割り当てられた携帯電話機に対して、無線ＩＦ部１０６を介して、呼出に係る処理を行う（ステップＳ４５）。このとき、呼出処理部１０５は、所定の時間内における応答を監視する。
【００５３】
呼出処理部１０５は、呼出に対する応答を監視する（ステップＳ５０）。応答があった場合には（ステップＳ５０における「ＹＥＳ」）、呼出処理部１０５は、当該携帯電話機への通話に係る接続処理を行い、通話を開始する（ステップＳ５５）。
応答がない場合には（ステップＳ５０における「ＮＯ」）、呼出処理部１０５は、応答を監視している時間が所定の時間を経過しているか否かを判断する（ステップＳ６０）。所定の時間を経過していないと判断する場合には（ステップＳ６０における「ＮＯ」）、呼出処理部１０５は、ステップＳ５０へ戻る。
【００５４】
所定の時間を経過していると判断する場合には（ステップＳ６０における「ＹＥＳ」）、呼出処理部１０５は、受け取った呼出対象の電話番号の携帯電話機に対する呼出に係る処理を抑止して、呼出タイムアウト情報を呼出対象確認部１０４へ出力する。呼出対象確認部１０４は、呼出処理部１０５から呼出タイムアウト情報を受け取ると、屋内用呼出リストの最上位に位置する呼出対象の電話番号を破棄し、残りの呼出対象の電話番号からなる屋内用呼出リストへと更新する（ステップＳ６５）。
【００５５】
呼出対象確認部１０４は、未取得の呼出対象の電話番号が屋内用呼出リストに存在するか否かを判断する（ステップＳ７０）。
未取得の呼出対象の電話番号が屋内用呼出リストに存在すると判断する場合には（ステップＳ７０における「ＹＥＳ」）、ステップＳ４５へ戻り、更新した屋内用呼出リストの最上位に位置する呼出対象の電話番号を取得し、取得した呼出対象の電話番号が割り当てられた携帯電話機に対する呼出の処理を行う。未取得の呼出対象の電話番号が屋内用呼出リストに存在しないと判断する場合、つまり残りの呼出対象の電話番号が屋内用呼出リストに存在しない場合には（ステップＳ７０における「ＮＯ」）、呼出対象確認部１０４は、屋内に存在する全ての呼出対象の携帯電話機からの応答がない旨の信号を、回線ＩＦ部１０１を介して、携帯電話機３０へ送信し、処理を終了する。
【００５６】
第１呼出対象情報が含まれていないと判断する場合、つまり第２呼出対象情報が含まれていると判断する場合には（ステップＳ２０における「ＮＯ」）、呼出対象確認部１０４は、番号管理テーブルＴ１００から存在フラグの値が「１」である電話番号を全て取得し、取得した全ての電話番号を用いて、呼出対象の電話番号からなる屋内用呼出リストを生成する（ステップＳ７５）。
【００５７】
呼出対象確認部１０４は、番号管理テーブルＴ１００から存在フラグの値が「０」である電話番号を全て取得し、取得した全ての電話番号を用いて、呼出対象の電話番号からなる屋外用呼出リストを生成する（ステップＳ８０）。
呼出対象確認部１０４は、着信信号に優先順位要求情報が含まれているか否かを判断する（ステップＳ８５）。含まれていると判断する場合には（ステップＳ８５における「ＹＥＳ」）、呼出対象確認部１０４は、着信信号に優先順位要求情報が優先順位テーブルＴ１１０を取得して、取得した優先順位テーブルＴ１１０に基づいて、生成した屋内用呼出リスト及び屋外用呼出リストが優先順位の順となるように並び替えを行う（ステップＳ９０）。呼出対象確認部１０４は、並び替えが行われた屋内用呼出リスト及び屋外用呼出リストをリスト記憶領域へ格納する（ステップＳ９５）。
【００５８】
着信信号に優先順位要求情報が含まれていないと判断する場合には（ステップＳ８５における「ＮＯ」）、ステップＳ９５へ移り、生成した屋内用呼出リスト及び屋外用呼出リストをリスト記憶領域へ格納する。
呼出対象確認部１０４は、リスト記憶領域にて格納している屋内用呼出リストの最上位に位置する呼出対象の電話番号を取得し、取得した呼出対象の電話番号と、回線ＩＦ部１０１から受け取った着信信号と、代表電話番号に対する着信である旨の情報とを呼出処理部１０５へ出力する。呼出処理部１０５は、代表電話番号に対する着信である旨の情報と、呼出対象の電話番号と着信信号とを受け取ると、受け取った呼出対象の電話番号が割り当てられた携帯電話機に対して、無線ＩＦ部１０６を介して、呼出に係る処理を行う（ステップＳ１００）。このとき、呼出処理部１０５は、所定の時間内における応答を監視する。
【００５９】
呼出処理部１０５は、呼出に対する応答を監視する（ステップＳ１０５）。応答があった場合には（ステップＳ１０５における「ＹＥＳ」）、呼出処理部１０５は、当該携帯電話機への通話に係る接続処理を行い、通話を開始する（ステップＳ１１０）。
応答がない場合には（ステップＳ１０５における「ＮＯ」）、呼出処理部１０５は、応答を監視している時間が所定の時間を経過しているか否かを判断する（ステップＳ１１５）。所定の時間を経過していないと判断する場合には（ステップＳ１１５における「ＮＯ」）、呼出処理部１０５は、ステップＳ１０５へ戻る。
【００６０】
所定の時間を経過していると判断する場合には（ステップＳ１１５における「ＹＥＳ」）、呼出処理部１０５は、受け取った呼出対象の電話番号の携帯電話機に対する呼出に係る処理を抑止して、呼出タイムアウト情報を呼出対象確認部１０４へ出力する。呼出対象確認部１０４は、呼出処理部１０５から呼出タイムアウト情報を受け取ると、屋内用呼出リストの最上位に位置する呼出対象の電話番号を破棄し、残りの呼出対象の電話番号からなる屋内用呼出リストへと更新する（ステップＳ１２０）。
【００６１】
呼出対象確認部１０４は、未取得の呼出対象の電話番号が屋内用呼出リストに存在するか否かを判断する（ステップＳ１２５）。
未取得の呼出対象の電話番号が屋内用呼出リストに存在すると判断する場合には（ステップＳ１２５における「ＹＥＳ」）、ステップＳ１００へ戻り、更新した屋内用呼出リストの最上位に位置する呼出対象の電話番号を取得し、取得した呼出対象の電話番号が割り当てられた携帯電話機に対する呼出の処理を行う。未取得の呼出対象の電話番号が屋内用呼出リストに存在しないと判断する場合、つまり残りの呼出対象の電話番号が屋内用呼出リストに存在しない場合には（ステップＳ１２５における「ＮＯ」）、呼出対象確認部１０４は、屋内に存在する全ての呼出対象の携帯電話機からの応答がない旨の信号を、回線ＩＦ部１０１を介して、携帯電話機３０へ送信する。
【００６２】
呼出対象確認部１０４は、リスト記憶領域にて格納している屋外用呼出リストの最上位に位置する呼出対象の電話番号を取得し、取得した呼出対象の電話番号と、回線ＩＦ部１０１から受け取った着信信号と、代表電話番号に対する着信である旨の情報とを転送処理部１０９へ出力する（ステップＳ１３０）。
転送処理部１０９は、代表電話番号に対する着信である旨の情報と、呼出対象の電話番号と着信信号とを受け取ると、受け取った呼出対象の電話番号が割り当てられた携帯電話機に対して、回線ＩＦ部１０１を介して、転送に係る処理、つまり受け取った呼出対象の電話番号の携帯電話機に対する呼出の処理を行う。このとき、転送処理部１０９は、所定の時間内における応答を監視する。
【００６３】
転送処理部１０９は、呼出に対する応答を監視する（ステップＳ１３５）。応答があった場合には（ステップＳ１３５における「ＹＥＳ」）、転送処理部１０９は、当該携帯電話機への通話に係る接続処理を行い、通話を開始する（ステップＳ１４０）。
応答がない場合には（ステップＳ１３５における「ＮＯ」）、転送処理部１０９は、応答を監視している時間が所定の時間を経過しているか否かを判断する（ステップＳ１４５）。所定の時間を経過していないと判断する場合には（ステップＳ１４５における「ＮＯ」）、転送処理部１０９は、ステップＳ１３５へ戻る。
【００６４】
所定の時間を経過していると判断する場合には（ステップＳ１４５における「ＹＥＳ」）、転送処理部１０９は、受け取った呼出対象の電話番号の携帯電話機に対する転送に係る処理を抑止して、転送タイムアウト情報を呼出対象確認部１０４へ出力する。呼出対象確認部１０４は、転送処理部１０９から転送タイムアウト情報を受け取ると、屋外用呼出リストの最上位に位置する呼出対象の電話番号を破棄し、残りの呼出対象の電話番号からなる屋内用呼出リストへと更新する（ステップＳ１５０）。
【００６５】
呼出対象確認部１０４は、未取得の呼出対象の電話番号が屋外用呼出リストに存在するか否かを判断する（ステップＳ１５５）。
未取得の呼出対象の電話番号が屋外用呼出リストに存在すると判断する場合には（ステップＳ１５５における「ＹＥＳ」）、ステップＳ１３０へ戻り、更新した屋外用呼出リストの最上位に位置する呼出対象の電話番号を取得し、取得した呼出対象の電話番号が割り当てられた携帯電話機に対する呼出の処理を行う。未取得の呼出対象の電話番号が屋外用呼出リストに存在しないと判断する場合、つまり残りの呼出対象の電話番号が屋外用呼出リストに存在しない場合には（ステップＳ１５５における「ＮＯ」）、呼出対象確認部１０４は、屋外に存在する全ての呼出対象の携帯電話機からの応答がない旨の信号を、回線ＩＦ部１０１を介して、携帯電話機３０へ送信して、処理を終了する。
【００６６】
１．４  変形例
なお、本発明を上記の第１の実施の形態に基づいて説明してきたが、本発明は、上記の実施の形態に限定されないのはもちろんである。以下の場合も本発明に含まれる。
（１）代表電話番号は、１のグループに属する複数の携帯電話機のそれぞれに割り当てられた電話番号とは異なる電話番号としたが、これに限定されない。
【００６７】
１のグループに属する複数の携帯電話機のうち１の携帯電話機に割り当てられた電話番号としてもよい。
このとき、例えば、代表電話番号に対する着信と、個別の電話番番号に対する着信との区別は、着信信号に代表電話番号に対する着信信号である旨の情報が含まれる。通信接続装置は、着信信号に含まれる相手先の電話番号が代表電話番号であると判断する場合には、さらに、着信信号に代表電話番号に対する着信信号である旨の情報が含まれているか否かを判断する。着信信号に代表電話番号に対する着信信号である旨の情報が含まれていると判断する場合には、通信接続装置は、代表電話番号に対する呼出の動作を行い、着信信号に代表電話番号に対する着信信号である旨の情報が含まれていないと判断する場合には、個別の電話番号に対する呼出の動作を行う。
【００６８】
または、受信した着信信号に含まれる相手先の電話番号に対して、個別の呼出の動作を行い、応答がない場合には、相手先の電話番号を代表電話番号とし、代表電話番号に対する呼出の動作を行う。このとき、着信信号に含まれている相手先の電話番号を呼出の対象としてもよいし、対象外としてもよい。
（２）上記第１の実施の形態において、発信端末である携帯電話機３０からの指示により、屋内に存在する１以上の携帯電話機のみを呼出の対象とするか、屋内に存在する１以上の携帯電話機及び屋外に存在する１以上の携帯電話機を呼出の対象とするかを判断したが、これに限定されない。
【００６９】
通信接続装置は、屋内に存在する１以上の携帯電話機のみを呼出の対象としてもよし、常に個別番号記憶領域１６０に記憶されている全ての電話番号を呼出の対象としてもよい。このとき、着信信号には、呼出の対象を示す情報は含まれない。つまり、第１呼出対象情報及び第２呼出対象情報の何れとも着信信号には含まれない。
または、屋外に存在する１以上の携帯電話機のみを呼出の対象としてもよい。この場合も、着信信号には、呼出の対象を示す情報は含まれない。
【００７０】
（３）１のグループに対して代表電話番号を設定したが、これに限定されない。
携帯電話機３０から代表電話番号による呼出を指示する場合に、１のグループに属する複数の携帯電話機のそれぞれに割り当てられた電話番号のうち１の電話番号に、代表電話番号による呼出を要求する代表電話番号呼出要求を付加してもよい。代表電話番号呼出要求は、着信信号に含まれる相手先の電話番号とあわせて設定されている。このとき、通信接続装置は、受信した着信信号に含まれる相手先の電話番号に代表番号呼出要求が設定されているか否かを判断する。相手先の電話番号に代表番号呼出要求が設定されていると判断する場合には、受信した着信信号に含まれる相手先の電話番号を代表電話番号とし、代表電話番号に対する呼出の動作を行う。設定されていないと判断する場合には、受信した着信信号に含まれる相手先の電話番号を用いて、個別の接続を行う。
【００７１】
または、通信接続装置は、代表電話番号による呼出を行うか否かを発信元の携帯電話機に問い合わせてもよい。このとき、通信接続装置は、着信信号を受信すると、回線ＩＦ部１０１が発信元からの着信を一端終端して応答し、応答メッセージの中で、代表電話番号による呼出を行うか否かを問い合わせる。通信接続装置は、発信元の携帯電話機からの指示により、代表電話番号による呼出の動作を行うか、受信した着信信号に含まれる相手先の電話番号にて個別の呼出の動作を行うかを判断する。
【００７２】
（４）優先順位にて並び替えを行うか否かを、着信信号に含まれる優先順位要求情報を用いて行ったが、これに限定されない。
通信接続装置は、優先順位による並び替えを行うか否かを発信元に問い合わせてもよい。このとき、通信接続装置は、代表電話番号による呼出を行うと判断する場合には、発信元へ、優先順位による並び替えを行うか否かの応答メッセージを送信する。通信接続装置は、発信元からの指示により、優先順位による並び替えを行うか否かを判断する。
【００７３】
または、優先順位記憶部１０３における格納状況に応じて、優先順位による並び替えを行うか否かを判断してもよい。例えば、優先順位記憶部１０３に優先順位テーブルＴ１１０が存在する場合には、優先順位による並び替えを行うと判断し、優先順位記憶部１０３に優先順位テーブルＴ１１０が存在しない場合には、優先順位による並び替えは行わないと判断する。
【００７４】
（５）個別の電話番号に、当該電話番号が呼び出しに最優先される電話番号である旨の最優先情報を付加してもよい。このとき、通信接続装置は、着信信号から個別の電話番号と最優先情報とを検出すると、検出した電話番号を代表電話番号とし、当該電話番号を屋内用呼出リストの最上位の位置へ格納する。以降は、優先順位要求情報が着信信号に含まれている場合には、優先順位テーブルＴ１１０に基づいて、屋内用呼出リスト及び屋外用呼出リストを生成する。なお、検出した電話番号が割り当てられた携帯電話機は屋内に存在するものとする。
【００７５】
（６）番号管理テーブルは、個別電話番号と存在フラグとからなるとしたが、これに限定されない。番号管理テーブルは、個別電話番号からなるとしてもよい。
この場合、通信接続装置は、代表電話番号にて示されるグループに属する携帯電話機が当該装置が設置された家屋内に存在するか否かの判断は、位置登録サーバへ問い合わせる。携帯電話機の電話番号と対応付けて管理されている局ＩＤが当該装置と一致する場合は、屋内に存在すると判断し、一致しない場合いは、屋外に存在すると判断する。
【００７６】
（７）番号管理テーブルＴ１００と優先順位テーブルＴ１１０とは、個別のテーブルとしたが、これに限定されない。通信接続装置は、番号管理テーブルＴ１００と優先順位テーブルＴ１１０とを一つにまとめた管理テーブルにて管理してもよい。
このとき、管理テーブルは、個別電話番号、存在フラグ及び優先順位からなる組を複数個記憶するための領域を有している。
【００７７】
（８）上記第１の実施の形態において、通信接続装置１０の無線ＬＡＮによるエリアは、屋内としたが、これに限定されない。
通信接続装置１０の無線ＬＡＮによるエリアは、無線による通信が可能な範囲であればよい。例えば、通信接続装置１０のエリアは、家屋内の部分的な範囲であってもよいし、屋外を含む範囲であってもよい。
【００７８】
また、通信接続装置１０の設置場所を家屋内としているが、これに限定されない。通信接続装置１０が設置できる場所であれば、家屋内に限らずどこでもよい。
（９）代表電話番号は、携帯電話機の電話番号とは異なる電話番号、つまり数字からなるものとしたが、これに限定されない。英字からなるものとしてもよいし、記号からなるものとしてもよい。または、数字、英字及び記号のうち少なくとも２つのものを組み合わせてもよい。つまり、複数の携帯電話機を代表することを示す識別子であればよい。
【００７９】
また、携帯電話機に割り当てられる電話番号も同様に、英字からなるものとしてもよいし、記号からなるものとしてもよい。または、数字、英字及び記号のうち少なくとも２つのものを組み合わせてもよい。つまり、携帯電話機を識別する識別子であればよい。
（１０）電話番号記憶部は、通信接続装置の内部にあるとしたが、これに限定されない。電話番号記憶部を外部の記憶装置とし、当該外部の記憶装置と通信接続装置とを接続してもよい。接続方法は、ケーブルによる接続であってもよいし、ネットワークを介する接続であってもよい。
【００８０】
なお、外部の記憶装置である電話番号記憶部へ代表電話番号を予め記憶する際には、当該通信接続装置により書き込みが行われる。また、個別の電話番号を、外部の記憶装置である電話番号記憶部の番号管理テーブルに予め記憶する際にも、当該通信接続装置により書き込みが行われる。または、代表電話番号、個別の電話番号の書き込みは、他の装置にて行ってもよい。
【００８１】
（１１）上記第１の実施の形態において、代表電話番号に対して複数の電話番号を割り当てたが、これに限定されない。
代表電話番号に対して割り当てる個別の電話番号は１以上であればよい。
（１２）上記第１の実施の形態及び上記変形例をそれぞれ組み合わせるとしてもよい。
１．５  まとめ
上記第１の実施の形態及び変形例によると、本発明は、発信元からの信号を自装置が受信した場合、前記発信元と所定の携帯電話機との通信を確立する通信接続装置であって、個々の携帯電話機を識別する識別情報を第１情報とし、複数の携帯電話機を代表する識別情報を第２情報とし、前記発信元からの信号を受信し、且つ受信した信号に第２情報が含まれている場合、前記第１情報と第２情報とが関連付けて記憶された記憶装置から、前記受信した信号に含まれる第２情報に関連付けられた第１情報を読み出す読出手段と、前記読出手段が読み出した第１情報にて特定される携帯電話機に対して、所定の順序にて呼び出しを行う呼出手段とを備えることを特徴とする。
【００８２】
上記に示した構成によると、通信接続装置は、第２情報を含む信号を受信すると、受信した信号に含まれる第２情報に関連付けられた第１情報を読み出し、読み出した第１情報にて特定される携帯電話機に対して、所定の順序にて呼び出しを行う。これにより、通信接続装置にて読み出された第１情報にて特定される携帯電話機の所有者は、自分に対する呼出という意識の方がグループの誰かに対する呼出という意識よりも高くなるので、呼出に対する応答を確実に行うようになる。
【００８３】
ここで、前記呼出手段は、呼出対象である１の第１情報にて特定される携帯電話機に対する呼出を行い、前記携帯電話機の応答を監視し、監視時間が所定の時間を超えた場合には、前記携帯電話機に対する呼出を抑止し、次の順序に位置する別の第１情報が存在する場合には、前記別の第１情報にて特定される携帯電話機への呼出を行い、次の順序に位置する別の第１情報が存在しない場合には、受信した信号に対する呼出を抑止するとしてもよい。
【００８４】
この構成によると、通信接続装置は、呼出対象である携帯電話機に対して応答の監視を行い、監視時間が所定時間を超えた場合には、呼出対象の携帯電話機に対する呼出を抑止し、次の呼出対象である別の第１情報が割り当てられた携帯電話機に対して呼出を行う。これにより、通信接続装置は、常に１の携帯電話機に対して呼出を行うことができる。
ここで、前記記憶装置は、前記通信接続装置の内部又は外部に備えられ、前記第２情報は、複数の携帯電話機を代表し、前記記憶装置は、前記複数の携帯電話機それぞれを特定する第１情報と、前記第２情報とを関連付けて記憶しているとしてもよい。
【００８５】
この構成によると、通信接続装置は、複数の第１情報を内部又は外部に備えられた記憶装置に記憶しておくことができる。
ここで、前記通信接続装置は、無線ＬＡＮと接続されており、前記記憶装置は、前記複数の第１情報それぞれに対して、前記無線ＬＡＮの通信範囲内に、前記第１情報にて特定される携帯電話機が存在するか否かを示す存在フラグを付加して記憶しており、前記読出手段は、前記複数の第１情報それぞれに対する存在フラグに基づいて、前記複数の第１情報それぞれにて特定される携帯電話機のうち前記通信範囲内に存在する１以上の携帯電話機の第１情報を読み出し、前記呼出手段は、前記無線ＬＡＮを用いて呼出を行うとしてもよい。
【００８６】
この構成によると、通信接続装置は、無線ＬＡＮによる通信範囲内に存在する１以上の携帯電話機を呼出の対象とするので、発信元である者は、複数の携帯電話機それぞれの所有者のうち前記通信範囲内にいる者を、順次通話相手の対象とすることができる。
ここで、前記通信接続装置は、さらに、電話回線網と接続され、前記複数の第１情報それぞれに対する存在フラグに基づいて、前記通信範囲外に存在する１以上の携帯電話機の第１情報を読み出し、読み出した１以上の携帯電話機の第１情報を用いて、前記通信範囲外に存在する１以上の携帯電話機に対する呼出順序を決定する範囲外情報読出手段を備え、前記呼出手段は、前記通信範囲内に存在する１以上の携帯電話機の全てが呼出に応じない場合には、前記範囲外情報読出手段にて読み出された１以上の第１情報にて特定される携帯電話機に対して、前記電話回線網を介して、所定の順序にて呼び出しを行うとしてもよい。
【００８７】
この構成によると、通信接続装置は、通信範囲内に存在する１以上の携帯電話機全てから応答がない場合には、通信範囲外に存在する１以上の携帯電話機を呼出の対象とする。これにより、発信元である者は、通信範囲内にいる所有者から応答がいない場合には、通話相手の対象を通信範囲外いる所有者へと拡張することができる。
ここで、前記記憶装置は、さらに、各第１情報に対して、呼出の優先順位を示す順位情報を対応付けて記憶しており、
前記読出手段は、前記順位情報に基づいて、読み出した１以上の第１情報に対して、優先順位が高い順に呼び出しが行われるように呼出順序を決定し、
前記呼出手段は、前記読出手段にて決定された呼出順序にて呼び出しを行うとしてもよい。
【００８８】
この構成によると、通信接続装置は、優先順位に従って、呼出順序を決定するので、発信元である者は、呼出対象である１以上の携帯電話機それぞれの所有者のうち優先順位の高い携帯電話機を所有する者から順に、通話相手の対象とすることができる。
ここで、前記通信接続装置は、無線ＬＡＮ及び電話回線網と接続されており、前記記憶装置は、さらに、前記複数の第１情報それぞれに対して、前記無線ＬＡＮによる通信範囲内に、前記第１情報にて特定される携帯電話機が存在するか否かを示す存在フラグを付加して記憶しており、前記読出手段は、前記複数の第１情報に対する存在フラグに基づいて、前記複数の第１情報それぞれにて特定される携帯電話機のうち前記通信範囲外に存在する１以上の携帯電話機の第１情報を読み出し、前記呼出手段は、前記電話回線網を介して、所定の順序にて呼出を行うとしてもよい。
【００８９】
この構成によると、通信接続装置は、無線ＬＡＮによる通信範囲外に存在する１以上の携帯電話機を呼出の対象とするので、発信元である者は、複数の携帯電話機それぞれの所有者のうち前記通信範囲外にいる者を、順次通話相手の対象とすることができる。
２．第２の実施の形態
本発明に係る第２の実施の形態としての通信接続装置１０１０について説明する。
【００９０】
２．１  概要
第２の実施の形態では、通信接続装置１０１０は、指定された位置から近い位置の存在する携帯電話機か順に呼び出しを行う。
なお、第２の実施の形態においても第１の実施の形態の説明に用いた携帯電話機２０、２１、２２、３０、位置登録サーバ４０、公衆基地局装置４１、４２及び携帯電話回線網４３を用いて説明を行う。
【００９１】
通信接続装置１０１０は、屋内に設置されており、携帯電話機２０、２１、２２、２３、２４のそれぞれに割り当てられた電話番号と、携帯電話機２０、２１、２２、２３、２４を１のグループとし、そのグループを代表する代表電話番号とを予め記憶している。ここでは、第１の実施の形態と同様に、代表電話番号は、携帯電話機２０、２１、２２、２３、２４のそれぞれに割り当てられた電話番号とは異なる電話番号であり、通信接続装置１０１０に対して割り当てられている。また、通信接続装置１０１０に割り当てられた代表電話番号は、他の通信接続装置（図示せず）に割り当てられた代表電話番号とは異なる電話番号である。
【００９２】
携帯電話機２０、２１、２２、２３、２４は、第１の実施の形態と同様に、無線ＬＡＮによる通信機能及びＣＤＭＡによる通信機能とを備えている。また、携帯電話機２０、２１、２２、２３、２４は、ＧＰＳにより当該携帯電話機が存在する位置を取得する機能を有している。
携帯電話機３０は、さらに、利用者の操作により地図を表示し、表示した地図から利用者の指示する位置（以下、「基準位置」という。）の経度及び緯度を取得する機能を有している。ここでは、一例として、利用者により指示された基準位置は、東経１３５度３８分、北緯３４度３８分とする。
【００９３】
携帯電話機２０、２１、２２、２３、２４が、代表電話番号と、利用者から基準位置から近い位置に存在する携帯電話機から順に呼出を行う旨の指示とを受け付けると、着信信号には、基準位置を示す基準位置情報を含む呼出情報が含まれる。ここでは、基準位置情報は、取得した経度及び緯度からなる。ここでは、例えば、東経１３５度３８分、北緯３４度３８分である。
【００９４】
また、第１の実施の形態と同様に、代表電話番号により呼び出しがなされる１以上の電話番号に対して優先順位を要求する旨の優先順位要求情報が着信信号に含まれる。
第２の実施の形態においても、位置登録サーバ４０は、第１の実施の形態と同様に、携帯電話機からの位置登録要求に基づいて、携帯電話機の現在位置の管理を行い、さらに、通信接続装置１０１０を識別する局ＩＤと、通信接続装置１０１０に割り当てられた代表電話番号とからなる組を記憶している。
【００９５】
２．２  通信接続装置１０１０の構成
通信接続装置１０１０は、図１０に示すように、回線ＩＦ部１１０１、電話番号記憶部１１０２、優先順位記憶部１１０３、呼出対象確認部１１０４、呼出処理部１１０５、無線ＩＦ部１１０６、アンテナ１１０７、通話処理部１１０８、転送処理部１１０９、登録部１１１０及び端末位置取得部１１１１から構成されている。
【００９６】
通信接続装置１０１０は、具体的には、マイクロプロセッサ、ＲＯＭ、ＲＡＭ、ハードディスクユニット、ディスプレイユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、通信接続装置１０１０は、その機能を達成する。
【００９７】
（１）回線ＩＦ部１１０１
回線ＩＦ部１１０１は、携帯電話回線網４３と接続するためのインタフェース部である。具体的には、光回線とのインタフェースである。なお、光回線とのインタフェースに限らず、例えば、ＡＤＳＬとのインタフェースであってもよい。
回線ＩＦ部１１０１は、携帯電話機３０からの発信に対し、公衆基地局装置４１及び携帯電話回線網４３を介してから受信信号を受信する。ここで、受信信号とは、例えば、電話着信時の着信信号及び通話時の音声信号等である。
【００９８】
回線ＩＦ部１１０１は、受信した受信信号が着信信号である場合には、受信した着信信号を呼出対象確認部１１０４へ出力し、受け取った受信信号が音声信号である場合には、通話処理部１１０８へ出力する。
回線ＩＦ部１１０１は、通話処理部１１０８から音声信号を受け取ると、受け取った音声信号を、携帯電話回線網４３及び公衆基地局装置４１を介して、携帯電話機３０へ送信する。
【００９９】
回線ＩＦ部１１０１は、登録部１１１０から位置登録要求を受け取ると、受け取った位置登録要求と当該通信接続装置１０１０に割り当てられた局ＩＤとを、携帯電話回線網４３を介して位置登録サーバ４０へ送信する。ここで、位置登録要求は、携帯電話機の電話番号と、登録要求する旨の情報とからなる。
回線ＩＦ部１１０１は、転送処理部１１０９から転送の処理に係る信号を受け取ると、受け取った信号を、携帯電話回線網４３を介して、転送先の携帯電話機へ送信する。
【０１００】
回線ＩＦ部１１０１は、端末位置取得部１１１１から、屋外に存在する携帯電話機の位置を示す端末位置情報を要求する位置情報要求を受け取ると、受け取った位置情報要求を、携帯電話回線網４３を介して、要求先の携帯電話機へ送信する。ここで、端末位置情報は、経度及び緯度にて示される。
また、回線ＩＦ部１１０１は、呼出対象確認部１１０４から携帯電話機３０へ送信する信号を受け取ると、受け取った信号を、携帯電話回線網４３及び公衆基地局装置４１を介して、携帯電話機３０へ送信する。
【０１０１】
（２）電話番号記憶部１１０２
電話番号記憶部１１０２は、第１の実施の形態にて示す電話番号記憶部１０２と同等であるため説明は省略する。
なお、以降の説明において、必要であれば図３に示す代表番号記憶領域１５０、個別番号記憶領域１６０及び番号管理テーブルＴ１００を用いて説明する。また、代表電話番号を予め記憶する際には、当該通信接続装置１０１０により書き込みが行われる。また、個別の電話番号を番号管理テーブルＴ１００に予め記憶する際にも、当該通信接続装置１０１０により書き込みが行われる。
【０１０２】
（３）優先順位記憶部１１０３
優先順位記憶部１１０３は、第１の実施の形態にて示す優先順位記憶部１０３と同様であるため説明は省略する。
なお、以降の説明において、必要であれば図４にて示す優先順位テーブルＴ１１０を用いて説明する。
【０１０３】
（４）呼出対象確認部１１０４
呼出対象確認部１１０４は、基準位置情報を記憶するための位置情報記憶領域と、屋外に存在する１以上の携帯電話機の電話番号とその電話番号が割り当てられた携帯電話機に対応する端末位置情報とからなる位置情報管理リスト及び屋内に存在する呼出対象の電話番号からなる屋内用呼出リストを記憶するためのリスト記憶領域とを有している。
【０１０４】
呼出対象確認部１１０４は、回線ＩＦ部１１０１から着信信号を受け取る。
呼出対象確認部１１０４は、受け取った着信信号に含まれる相手先の電話番号が代表電話番号１５１と一致するか否かを判断する。
相手先の電話番号が代表電話番号１５１と一致しないと判断する場合には、呼出対象確認部１１０４は、受け取った着信信号と、個別の電話番号に対する着信である旨の情報とを呼出処理部１１０５へ出力する。
【０１０５】
相手先の電話番号が代表電話番号１５１と一致すると判断する場合には、呼出対象確認部１１０４は、着信信号に呼出情報が含まれている否か、つまり着信信号に基準位置情報が含まれているか否かを判断する。
着信信号に基準位置情報が含まれていると判断する場合には、呼出対象確認部１１０４は、着信信号に含まれている基準位置情報を取得し、取得した基準位置情報を位置情報記憶領域へ格納する。ここでは、基準位置情報として、東経１３５度３８分、北緯３４度３８分が格納される。
【０１０６】
呼出対象確認部１１０４は、番号管理テーブルＴ１００から存在フラグの値が「０」である電話番号を全て取得する。ここでは、呼出対象確認部１１０４は、携帯電話機２２、２３のそれぞれに割り当てられた電話番号１６４、１６５を番号管理テーブルＴ１００から取得する。
呼出対象確認部１１０４は、取得した全ての電話番号と、携帯電話機の位置を示す端末位置情報を取得する旨の位置情報取得命令とを、端末位置取得部１１１１へ出力する。
【０１０７】
呼出対象確認部１１０４は、端末位置取得部１１１１から電話番号と当該電話番号にて割り当てられた携帯電話機に対応する端末位置情報とを受け取ると、電話番号が番号管理テーブルＴ１００に格納されている順序に従って、位置情報管理リストを作成する。図１１（ａ）にて示す位置情報管理リストＴ２００は、生成した位置情報管理リストの一例である。電話番号は、番号管理テーブルＴ１００から存在フラグの値が「０」である電話番号を示し、端末位置情報は、その電話番号が割り当てられた携帯電話機が存在する位置を示す。
【０１０８】
呼出対象確認部１１０４は、生成した位置情報管理テーブルに格納している各端末位置情報と、位置情報記憶領域にて記憶している基準位置情報とを用いて、基準位置から携帯電話機までの各距離を算出し、算出された各距離に基づいて、携帯端末と基準位置との距離が近いものから順に並ぶように、生成した位置管理情報リストの電話番号と端末位置情報とからなる組の並び替えを行う。図１１（ｂ）にて示す位置情報管理リストＴ２０１は、位置情報管理リストＴ２００を並び替えた結果である。呼出対象確認部１１０４は、並び替えが行われた位置情報管理リストをリスト記憶領域へ格納する。
【０１０９】
呼出対象確認部１１０４は、リスト記憶領域にて格納している位置情報管理リストの最上位に位置する呼出対象の電話番号を取得し、取得した呼出対象の電話番号と、回線ＩＦ部１１０１から受け取った着信信号と、代表電話番号に対する着信である旨の情報とを転送処理部１１０９へ出力する。また、呼出対象確認部１１０４は、現在の呼出対象の電話番号を示す信号を、回線ＩＦ部１１０１を介して、携帯電話機３０へ送信する。このとき、携帯電話機３０では、現在、呼出がなされている電話番号として、受け取った信号にて示される電話番号をディスプレイにて表示する。なお、ディスプレイの表示に限定されない。音声案内であってもよい。
【０１１０】
呼出対象確認部１１０４は、転送処理部１１０９による転送の処理がタイムアウトした旨の転送タイムアウト情報を受け取ると、位置情報管理リストの最上位に位置する呼出対象の電話番号と端末位置情報とを破棄し、残りの呼出対象の電話番号と端末位置情報とからなる位置情報管理リストへと更新する。呼出対象確認部１１０４は、更新した位置情報管理リストの最上位に位置する呼出対象の電話番号と、回線ＩＦ部１１０１から受け取った着信信号と、代表電話番号に対する着信である旨の情報とを転送処理部１１０９へ出力する。
【０１１１】
呼出対象確認部１１０４は、残りの呼出対象の電話番号と端末位置情報とが存在しない場合には、屋外に存在する全ての呼出対象の携帯電話機からの応答がない旨の信号を、回線ＩＦ部１１０１を介して、携帯電話機３０へ送信する。このとき、携帯電話機３０では、屋外の存在する全ての呼出対象の携帯電話機からの応答がない旨をディスプレイにて表示する。なお、ディスプレイの表示に限定されない。音声案内であってもよい。
【０１１２】
呼出対象確認部１１０４は、屋外の存在する全ての呼出対象の携帯電話機からの応答がない旨の信号を、携帯電話機３０へ送信すると、屋内に存在する携帯電話機を呼出の対象とし、屋内用呼出リストを生成する。以降の動作は、第１の実施の形態にて示す着信信号に第１呼出対象情報が含まれている場合と同様の動作であるため、説明は省略する。
また、着信信号に基準位置情報が含まれていないと判断する場合も、第１の実施の形態にて示す着信信号に第１呼出対象情報が含まれている場合と同様の動作であるため、説明は省略する。
【０１１３】
（５）端末位置取得部１１１１
端末位置取得部１１１１は、呼出対象確認部１１０４から屋外に存在する全ての携帯電話機それぞれに対応する電話番号と、位置情報取得命令とを受け取ると、端末位置情報を要求する位置情報要求を、回線ＩＦ部１１０１を介して各携帯電話機へ送信する。
端末位置取得部１１１１は、各携帯電話機から回線ＩＦ部１１０１を介して、端末位置情報を受信すると、受信した各位置情報と、それぞれと対応する電話番号とを組にして、呼出対象確認部１１０４へ出力する。
【０１１４】
（６）呼出処理部１１０５
呼出処理部１１０５は、第１の実施の形態にて示す呼出処理部１０５と同様の動作を行うため、ここでの説明は省略する。
（７）転送処理部１１０９
転送処理部１１０９は、第１の実施の形態にて示す転送処理部１０９と同様の動作を行うため、ここでの説明は省略する。
【０１１５】
（８）無線ＩＦ部１１０６
無線ＩＦ部１１０６は、第１の実施の形態にて示す無線ＩＦ部１０６と同様の動作を行うため、ここでの説明は省略する。
（９）通話処理部１１０８
通話処理部１１０８は、第１の実施の形態にて示す通話処理部１０８と同様の動作を行うため、ここでの説明は省略する。
【０１１６】
（１０）登録部１１１０
登録部１１１０は、第１の実施の形態にて示す登録部１１０と同様の動作を行うため、ここでの説明は省略する。
２．３  動作
ここでは、通信接続装置１０１０の動作について、図１２、図１３及び図１４にて示す流れ図を用いて説明する。
【０１１７】
回線ＩＦ部１１０１は、携帯電話機３０からの発信に対し、携帯電話回線網を介して着信信号を受信する（ステップＳ２００）。回線ＩＦ部１１０１は、受信した着信信号を呼出対象確認部１１０４へ出力する。呼出対象確認部１１０４は、回線ＩＦ部１１０１から着信信号を受け取る。
呼出対象確認部１１０４は、受け取った着信信号による着信が代表電話番号への着信であるか否かを判断する（ステップＳ２０５）。ここでは、呼出対象確認部１１０４は、受け取った着信信号に含まれる相手先の電話番号が代表電話番号１５１と一致するか否かを判断する。
【０１１８】
相手先の電話番号が代表電話番号１５１と一致しないと判断する場合、つまり代表電話番号への着信でないと判断する場合には（ステップＳ２０５における「ＮＯ」）、通信接続装置１０１０は、個別の電話番号への接続に係る処理を行う（ステップＳ２１０）。
相手先の電話番号が代表電話番号１５１と一致すると判断する場合、つまり代表電話番号への着信であると判断する場合には（ステップＳ２０５における「ＹＥＳ」）、呼出対象確認部１１０４は、着信信号に呼出情報が含まれているか否か、つまり着信信号に基準位置情報が含まれているか否かを判断する（ステップＳ２１５）。
【０１１９】
着信信号に基準位置情報が含まれていると判断する場合には（ステップＳ２１５における「ＹＥＳ」）、呼出対象確認部１１０４は、着信信号に含まれている基準位置情報を取得し、取得した基準位置情報を位置情報記憶領域へ格納する（ステップＳ２２０）。
呼出対象確認部１１０４は、番号管理テーブルＴ１００から存在フラグの値が「０」である電話番号を全て取得する（ステップＳ２２５）。
【０１２０】
呼出対象確認部１１０４は、取得した全ての電話番号と、携帯電話機の位置を示す端末位置情報を取得する旨の位置情報取得命令とを、端末位置取得部１１１１へ出力する。端末位置取得部１１１１は、呼出対象確認部１１０４から屋外に存在する全ての携帯電話機それぞれに対応する電話番号と、位置情報取得命令とを受け取ると、端末位置情報を要求する位置情報要求を、回線ＩＦ部１１０１を介して各携帯電話機へ送信する。端末位置取得部１１１１は、各携帯電話機から回線ＩＦ部１１０１を介して、端末位置情報を取得する（ステップＳ２３０）。
【０１２１】
端末位置取得部１１１１は、取得した各位置情報と、それぞれと対応する電話番号とを組にして、呼出対象確認部１１０４へ出力する。呼出対象確認部１１０４は、端末位置取得部１１１１から電話番号と当該電話番号にて割り当てられた携帯電話機に対応する端末位置情報とを受け取ると、電話番号が番号管理テーブルＴ１００に格納されている順序に従って、位置情報管理リストを作成する（ステップＳ２３５）。
【０１２２】
呼出対象確認部１１０４は、生成した位置情報管理テーブルに格納している各端末位置情報と、位置情報記憶領域にて記憶している基準位置情報とを用いて、基準位置から携帯電話機までの各距離を算出し（ステップＳ２４０）、算出された各距離に基づいて、携帯端末と基準位置との距離が近いものから順に並ぶように、生成した位置管理情報リストの電話番号と端末位置情報とからなる組の並び替えを行う（ステップＳ２４５）。
【０１２３】
呼出対象確認部１１０４は、並び替えが行われた位置情報管理リストをリスト記憶領域へ格納する（ステップＳ２５０）。
呼出対象確認部１１０４は、リスト記憶領域にて格納している位置情報管理リストの最上位に位置する呼出対象の電話番号を取得し、取得した電話番号と、回線ＩＦ部１１０１から受け取った着信信号と、代表電話番号に対する着信である旨の情報とを転送処理部１１０９へ出力する。転送処理部１１０９は、代表電話番号に対する着信である旨の情報と、呼出対象の電話番号と着信信号とを受け取ると、受け取った呼出対象の電話番号が割り当てられた携帯電話機に対して、回線ＩＦ部１１０１を介して、転送に係る処理、つまり受け取った呼出対象の電話番号の携帯電話機に対する呼出の処理を行う。（ステップＳ２５５）。このとき、転送処理部１１０９は、所定の時間内における応答を監視する。
【０１２４】
転送処理部１１０９は、呼出に対する応答を監視する（ステップＳ２６０）。応答があった場合には（ステップＳ２６０における「ＹＥＳ」）、転送処理部１１０９は、当該携帯電話機への通話に係る接続処理を行い、通話を開始する（ステップＳ２６５）。
応答がない場合には（ステップＳ２６０における「ＮＯ」）、転送処理部１１０９は、応答を監視している時間が所定の時間を経過しているか否かを判断する（ステップＳ２７０）。所定の時間を経過していないと判断する場合には（ステップＳ２７０における「ＮＯ」）、転送処理部１１０９は、ステップＳ２６０へ戻る。
【０１２５】
所定の時間を経過していると判断する場合には（ステップＳ２７０における「ＹＥＳ」）、転送処理部１１０９は、受け取った呼出対象の電話番号の携帯電話機に対する転送に係る処理を抑止し、転送タイムアウト情報を呼出対象確認部１１０４へ出力する。呼出対象確認部１１０４は、転送処理部１１０９から転送タイムアウト情報を受け取ると、位置情報管理リストの最上位に位置する呼出対象の電話番号と端末位置情報とを破棄し、残りの呼出対象の電話番号と端末位置情報とからなる位置情報管理リストへと更新する（ステップＳ２７５）。
【０１２６】
呼出対象確認部１１０４は、未取得の呼出対象の電話番号が位置情報管理リストに存在するか否かを判断する（ステップＳ２８０）。
未取得の呼出対象の電話番号が位置情報管理リストに存在すると判断する場合には（ステップＳ２８０における「ＹＥＳ」）、ステップＳ２５５へ戻り、更新した位置情報管理リストの最上位に位置する呼出対象の電話番号を取得し、取得した呼出対象の電話番号が割り当てられた携帯電話機に対する呼出の処理を行う。未取得の呼出対象の電話番号が位置情報管理リストに存在しないと判断する場合、つまり残りの呼出対象の電話番号と端末位置情報とが位置情報管理リストに存在しない場合には（ステップＳ２８０における「ＮＯ」）、呼出対象確認部１１０４は、屋内に存在する全ての呼出対象の携帯電話機からの応答がない旨の信号を、回線ＩＦ部１１０１を介して、携帯電話機３０へ送信する。
【０１２７】
呼出対象確認部１１０４は、番号管理テーブルＴ１００から存在フラグの値が「１」である電話番号を全て取得し、取得した全ての電話番号を用いて、電話番号が番号管理テーブルＴ１００に格納されている順序に従って、呼出対象の電話番号からなる屋内用呼出リストを生成する（ステップＳ２８５）。
呼出対象確認部１１０４は、着信信号に優先順位要求情報が含まれているか否かを判断する（ステップＳ２９０）。着信信号に優先順位要求情報が含まれていると判断する場合には（ステップＳ２９０における「ＹＥＳ」）、呼出対象確認部１１０４は、優先順位テーブルＴ１１０を取得して、取得した優先順位テーブルＴ１１０に基づいて、生成した屋内用呼出リストが優先順位の順となるように並び替えを行う（ステップＳ２９５）。呼出対象確認部１１０４は、並び替えが行われた屋内用呼出リストをリスト記憶領域へ格納する（ステップＳ３００）。着信信号に優先順位要求情報が含まれていないと判断する場合には（ステップＳ２９０における「ＮＯ」）、ステップＳ３００へ移り、生成した屋内用呼出リストをリスト記憶領域へ格納する。
【０１２８】
呼出対象確認部１１０４は、リスト記憶領域にて格納している屋内用呼出リストの最上位に位置する呼出対象の電話番号と、回線ＩＦ部１１０１から受け取った着信信号と、代表電話番号に対する着信である旨の情報とを取得し、呼出処理部１１０５へ出力する。呼出処理部１１０５は、代表電話番号に対する着信である旨の情報と、呼出対象の電話番号と着信信号とを受け取ると、受け取った呼出対象の電話番号が割り当てられた携帯電話機に対して、無線ＩＦ部１１０６を介して、呼出に係る処理を行う（ステップＳ３０５）。このとき、呼出処理部１１０５は、所定の時間内における応答を監視する。
【０１２９】
呼出処理部１１０５は、呼出に対する応答を監視する（ステップＳ３１０）。応答があった場合には（ステップＳ３１０における「ＹＥＳ」）、呼出処理部１１０５は、当該携帯電話機への通話に係る接続処理を行い、通話を開始する（ステップＳ３１５）。
応答がない場合には（ステップＳ３１０における「ＮＯ」）、呼出処理部１１０５は、応答を監視している時間が所定の時間を経過しているか否かを判断する（ステップＳ３２０）。所定の時間を経過していないと判断する場合には（ステップＳ３２０における「ＮＯ」）、呼出処理部１１０５は、ステップＳ３１０へ戻る。
【０１３０】
所定の時間を経過していると判断する場合には（ステップＳ３２０における「ＹＥＳ」）、呼出処理部１１０５は、受け取った呼出対象の電話番号の携帯電話機に対する呼出に係る処理を抑止し、呼出タイムアウト情報を呼出対象確認部１１０４へ出力する。呼出対象確認部１１０４は、呼出処理部１１０５から呼出タイムアウト情報を受け取ると、屋内用呼出リストの最上位に位置する呼出対象の電話番号を破棄し、残りの呼出対象の電話番号からなる屋内用呼出リストへと更新する（ステップＳ３２５）。
【０１３１】
呼出対象確認部１１０４は、未取得の呼出対象の電話番号が屋内用呼出リストに存在するか否かを判断する（ステップＳ３３０）。
未取得の呼出対象の電話番号が屋内用呼出リストに存在すると判断する場合には（ステップＳ３３０における「ＹＥＳ」）、ステップＳ３０５へ戻り、更新した屋内用呼出リストの最上位に位置する呼出対象の電話番号を取得し、取得した呼出対象の電話番号が割り当てられた携帯電話機に対する呼出を行う。未取得の呼出対象の電話番号が屋内用呼出リストに存在しないと判断する場合、つまり残りの呼出対象の電話番号が屋内用呼出リストに存在しない場合には（ステップＳ３３０における「ＮＯ」）、呼出対象確認部１１０４は、屋内に存在する全ての呼出対象の携帯電話機からの応答がない旨の信号を、回線ＩＦ部１１０１を介して、携帯電話機３０へ送信し、処理を終了する。
【０１３２】
着信信号に基準位置情報が含まれていないと判断する場合には（ステップＳ２１５における「ＮＯ」）、呼出対象確認部１１０４は、ステップＳ２８５以降の動作を行う。
２．４  変形例
なお、本発明を上記の第２の実施の形態に基づいて説明してきたが、本発明は、上記の実施の形態に限定されないのはもちろんである。以下の場合も本発明に含まれる。
【０１３３】
（１）端末位置情報の問い合わせは、定期的に行ってもよい。このとき、呼出対象確認部１１０４は、タイマを有しており、定期的（例えば、１時間ごと）に、番号管理テーブルＴ１００から存在フラグの値が「０」である電話番号を全て取得し、取得した各電話番号に対する位置情報管理リストを生成し、リスト記憶領域へ格納する。呼出対象確認部１１０４は、回線ＩＦ部１１０１から着信信号を受け取ると、受け取った着信信号に含まれる相手先の電話番号が代表電話番号１５１と一致し、且つ基準位置情報が着信信号に含まれている場合には、基準位置情報を取得し、取得した位置情報と、位置情報管理テーブルに格納している各端末位置情報とを用いて、基準位置から携帯電話機までの各距離を算出する。呼出対象確認部１１０４は、算出された各距離に基づいて、携帯端末と基準位置との距離が近いものから順に並ぶように、格納している位置管理情報リストの電話番号と端末位置情報とからなる組の並び替えを行い、格納している位置情報管理リストを、並び替えが行われた位置情報管理リストへと更新する。呼出対象確認部１１０４は、更新した位置情報管理リストを用いて、代表電話番号に対する呼出に係る動作を行う。
【０１３４】
なお、位置情報管理リストの生成に係る動作は、第２の実施の形態にて示す動作と同様であるため、説明は省略する。
または、定期的に位置情報管理リストを作成する代わりに、番号管理テーブルを電話番号、存在フラグ及び端末位置情報からなる組を格納する領域を有するものとし、呼出対象確認部１１０４は、定期的に取得した端末位置情報を、番号管理テーブルへ書き込んでもよい。この場合、存在フラブが「１」である電話番号に対する位置情報は何も書き込まれない。
【０１３５】
（２）基準位置情報及び端末位置情報を経度及び緯度からなるとしたが、これに限定されない。基準位置情報を基準位置が属するエリアの公衆基地局装置に割り当てられた局ＩＤとし、端末位置情報を携帯電話機が属するエリアの公衆基地局装置に割り当てられた局ＩＤとしてもよい。
この場合、携帯電話機３０は、自装置にて基準位置を示す経度及び緯度から局ＩＤ（以下、基準局ＩＤ）へと変換する。
【０１３６】
通信接続装置は、着信信号に含まれる相手先の電話番号が代表電話番号１５１と一致し、且つ基準位置情報が着信信号に含まれている場合には、端末位置情報を携帯電話機に問い合わせる代わりに、位置登録サーバへ該当する携帯電話機と対応付けられた局ＩＤを問い合わせる。通信接続装置は、基準局ＩＤと、各局ＩＤとを用いて、基準局ＩＤにて示されるエリアに近いエリアに存在する携帯電話機から電話番号が並ぶように、位置管理情報リストをソートする。呼出対象確認部１１０４は、ソートした位置情報管理リストを用いて、代表電話番号に対する呼出に係る動作を行う。
【０１３７】
（３）上記（２）において、基準位置を示す経度及び緯度から基準局ＩＤへの変換を携帯電話機３０としたが、これに限定されない。変換は、他の装置（例えば、位置登録サーバ４０）で行ってもよい。
この場合、携帯電話機３０は、他の装置（例えば、位置登録サーバ４０）へ基準位置を示す経度及び緯度を送信し、他の装置から基準局ＩＤを受信する。携帯電話機３０は、代表電話番号を用いて呼び出しを行う場合には、着信信号に基準局ＩＤからなる基準位置情報を含む呼出情報が含まれる。
【０１３８】
または、通信接続装置にて、基準位置を示す経度及び緯度から基準局ＩＤへの変換を行ってもよい。この場合、携帯電話機３０が代表電話番号を用いて呼び出しを行う場合には、着信信号に経度及び緯度からなる基準位置情報を含む呼出情報が含まれる。通信接続装置は、着信信号に含まれる相手先の電話番号が代表電話番号１５１と一致し、且つ基準位置情報が着信信号に含まれる場合には、着信信号に含まれている基準位置情報にて示される経度及び緯度を用いて、基準局ＩＤを取得する。通信接続装置は、取得した基準局ＩＤを基準位置情報として、位置情報記憶領域へ格納する。通信接続装置は、端末位置情報を携帯電話機に問い合わせる代わりに、位置登録サーバへ該当する携帯電話機と対応付けられた局ＩＤを問い合わせる。通信接続装置は、基準局ＩＤと、各局ＩＤとを用いて、基準局ＩＤにて示されるエリアに近いエリアに存在する携帯電話機から電話番号が並ぶように、位置管理情報リストをソートする。呼出対象確認部１１０４は、ソートした位置情報管理リストを用いて、代表電話番号に対する呼出に係る動作を行う。
【０１３９】
（４）携帯電話機３０は、利用者の操作により地図を表示し、表示した地図から利用者の指示する基準位置を取得したが、これに限定されない。基準位置情報は、携帯電話機３０が存在する位置を示す情報であってもよい。
（５）または、基準位置情報は、通信接続装置が設置されている位置を示す情報であってもよい。この場合、携帯電話機３０が代表電話番号を用いて呼び出しを行う場合には、着信信号に位置情報による呼出を行う旨を含む呼出情報が含まれる。
【０１４０】
通信接続装置は、予め、自装置が設置されている位置を示す基準位置情報を位置情報記憶領域に記憶している。通信接続装置は、着信信号に含まれる相手先の電話番号が代表電話番号１５１と一致し、且つ基準位置情報が着信信号に含まれている場合には、番号管理テーブルＴ１００から存在フラグの値が「０」である電話番号を全て取得し、取得した全ての電話番号を用いて、位置情報管理リストを生成する。以降の動作は、第２の実施の形態と同様であるため、説明は省略する。
【０１４１】
または、基準位置情報は、通信接続装置が設置されている位置を示す情報とし、通信接続装置は、常に、位置情報による呼出を行うとしてもよい。このとき、着信信号には、位置情報による呼出を行う旨を含む呼出情報は含まれない。
または、呼出の順序を、屋内に存在する携帯電話機から順次呼び出し、その後、屋外に存在する携帯電話機を順次呼び出すようにしてもよい。これにより、通信接続装置が設置された家屋に近いものから順次呼び出すことが可能となる。
【０１４２】
（６）基準位置情報にて示される位置から所定の距離を越える位置に存在する携帯電話機を呼出の対象から除外してもよい。
このとき、通信接続装置は、代表電話番号にて示されるグループに属する全ての携帯電話機に対して、携帯電話機それぞれの端末位置情報を取得して、位置情報管理リストを生成する。屋内に存在する携帯電話機に対しても端末位置情報を取得する。
【０１４３】
通信接続装置は、基準位置情報と取得した各端末位置情報とを用いて、２点間の距離を算出後、算出された距離が所定の距離（例えば、５０ｋｍ）以上であるか否かを判断する。所定の距離以上であると判断する場合には、算出に用いられた端末位置情報とそれに対応する電話番号とを位置情報管理リストから破棄する。この動作を全ての端末位置情報に対して行うことにより、位置情報管理リストには、基準位置情報にて示される位置から所定の距離内に存在する携帯電話機の電話番号とその端末位置情報とからなる組のみが残ることになる。
【０１４４】
例えば、着信信号に含まれる基準位置情報が、通信接続装置が設置されている位置を示す場合には、通信接続装置が設置された家から所定の距離内にある携帯電話機が呼出の対象となる。
（７）上記第２の実施の形態において、呼び出しの順序を、屋外に存在する携帯電話機を順次呼び出した後、屋内に存在する携帯電話機を順次呼び出したが、これに限定されない。屋外に存在する携帯電話機のみを順次呼び出してもよい。
【０１４５】
この場合、携帯電話機３０が代表電話番号に対する呼び出しを行う際に、屋内に存在する携帯電話機を呼出の対象とするか否かの情報を、着信信号に含むことで実現できる。
（８）上記第２の実施の形態において、通信接続装置１０１０の無線ＬＡＮによるエリアは、屋内としたが、これに限定されない。
通信接続装置１０１０の無線ＬＡＮによるエリアは、無線による通信が可能な範囲であればよい。例えば、通信接続装置１０１０のエリアは、家屋内の部分的な範囲であってもよいし、屋外を含む範囲であってもよい。
【０１４６】
また、通信接続装置１０１０の設置場所を家屋内としているが、これに限定されない。通信接続装置１０１０が設置できる場所であれば、家屋内に限らずどこでもよい。
（９）代表電話番号は、携帯電話機の電話番号とは異なる電話番号、つまり数字からなるものとしたが、これに限定されない。英字からなるものとしてもよいし、記号からなるものとしてもよい。または、数字、英字及び記号のうち少なくとも２つのものを組み合わせてもよい。つまり、複数の携帯電話機を代表することを示す識別子であればよい。
【０１４７】
また、携帯電話機に割り当てられる電話番号も同様に、英字からなるものとしてもよいし、記号からなるものとしてもよい。または、数字、英字及び記号のうち少なくとも２つのものを組み合わせてもよい。つまり、携帯電話機を識別する識別子であればよい。
（１０）電話番号記憶部は、通信接続装置の内部にあるとしたが、これに限定されない。電話番号記憶部を外部の記憶装置とし、当該外部の記憶装置と通信接続装置とを接続してもよい。接続方法は、ケーブルによる接続であってもよいし、ネットワークを介する接続であってもよい。
【０１４８】
なお、外部の記憶装置である電話番号記憶部へ代表電話番号を予め記憶する際には、当該通信接続装置により書き込みが行われる。また、個別の電話番号を、外部の記憶装置である電話番号記憶部の番号管理テーブルに予め記憶する際にも、当該通信接続装置により書き込みが行われる。または、代表電話番号、個別の電話番号の書き込みは、他の装置にて行ってもよい。
【０１４９】
（１１）上記第２の実施の形態において、代表電話番号に対して複数の電話番号を割り当てたが、これに限定されない。
代表電話番号に対して割り当てる個別の電話番号は１以上であればよい。
（１２）上記第２の実施の形態及び上記変形例をそれぞれ組み合わせるとしてもよい。
２．５  まとめ
上記第２の実施の形態及び変形例によると、本発明は、発信元からの信号を自装置が受信した場合、前記発信元と所定の携帯電話機との通信を確立する通信接続装置であって、個々の携帯電話機を識別する識別情報を第１情報とし、複数の携帯電話機を代表する識別情報を第２情報とし、前記発信元からの信号を受信し、且つ受信した信号に第２情報が含まれている場合、前記第１情報と第２情報とが関連付けて記憶された記憶装置から、前記受信した信号に含まれる第２情報に関連付けられた第１情報を読み出す読出手段と、前記読出手段が読み出した第１情報にて特定される携帯電話機に対して、所定の順序にて呼び出しを行う呼出手段とを備えることを特徴とする。
【０１５０】
上記に示した構成によると、通信接続装置は、第２情報を含む信号を受信すると、受信した信号に含まれる第２情報に関連付けられた第１情報を読み出し、読み出した第１情報にて特定される携帯電話機に対して、所定の順序にて呼び出しを行う。これにより、通信接続装置にて読み出された第１情報にて特定される携帯電話機の所有者は、自分に対する呼出という意識の方がグループの誰かに対する呼出という意識よりも高くなるので、呼出に対する応答を確実に行うようになる。
【０１５１】
ここで、前記呼出手段は、呼出対象である１の第１情報にて特定される携帯電話機に対する呼出を行い、前記携帯電話機の応答を監視し、監視時間が所定の時間を超えた場合には、前記携帯電話機に対する呼出を抑止し、次の順序に位置する別の第１情報が存在する場合には、前記別の第１情報にて特定される携帯電話機への呼出を行い、次の順序に位置する別の第１情報が存在しない場合には、受信した信号に対する呼出を抑止するとしてもよい。
【０１５２】
この構成によると、通信接続装置は、呼出対象である携帯電話機に対して応答の監視を行い、監視時間が所定時間を超えた場合には、呼出対象の携帯電話機に対する呼出を抑止し、次の呼出対象である別の第１情報が割り当てられた携帯電話機に対して呼出を行う。これにより、通信接続装置は、常に１の携帯電話機に対して呼出を行うことができる。
ここで、前記記憶装置は、前記通信接続装置の内部又は外部に備えられ、前記第２情報は、複数の携帯電話機を代表し、前記記憶装置は、前記複数の携帯電話機それぞれを特定する第１情報と、前記第２情報とを関連付けて記憶しているとしてもよい。
【０１５３】
この構成によると、通信接続装置は、複数の第１情報を内部又は外部に備えられた記憶装置に記憶しておくことができる。
ここで、前記発信元からの信号は、さらに、所定の位置を示す基準位置情報を含み、前記通信接続装置は、さらに、前記携帯電話機の存在位置を示す端末位置情報を取得する取得手段を備え、前記読出手段は、前記受信した信号から前記基準位置情報を取得し、呼出の対象である前記１以上の第１情報それぞれにて特定される携帯電話機の端末位置情報を取得するように前記取得手段を制御し、前記基準位置情報と前記取得手段にて取得した各端末位置情報とを用いて、前記所定の位置から、前記１以上の第１情報それぞれにて特定される携帯電話機が存在する存在位置までの各距離を算出し、算出された各距離が短い順に呼び出しが行われるように呼出順序を決定するとしてもよい。
【０１５４】
この構成によると、通信接続装置は、所定の位置からの距離が近い順に、呼出順序を決定するので、発信元である者は、呼出対象である１以上の携帯電話機それぞれの所有者のうち所定の位置の近くにいる者から順に、通話相手の対象とすることができる。
ここで、前記通信接続装置は、さらに、前記携帯電話機の存在位置を示す端末位置情報を取得する取得手段を備え、前記読出手段は、読み出した前記１以上の第１情報それぞれにて特定される各携帯電話機に対する端末位置情報を取得するように前記取得手段を制御し、前記取得手段にて取得した各端末位置情報に基づいて、前記通信接続装置が設置された場所から、読み出した前記１以上の第１情報それぞれに対応する携帯電話機が存在する存在位置までの各距離を算出し、算出された各距離が短い順に呼び出しが行われるように呼出順序を決定するとしてもよい。
【０１５５】
この構成によると、通信接続装置は、当該装置が設置された場所から呼出対象である各携帯電話機の位置までの距離が近い順に、呼出順序を決定するので、発信元である者は、呼出対象である１以上の携帯電話機それぞれの所有者のうち当該装置が設置された場所から近くにいる者から順に、通話相手の対象とすることができる。
ここで、前記発信元からの信号は、さらに、所定の位置を示す基準位置情報を含み、前記通信接続装置は、さらに、前記携帯電話機の存在位置を示す端末位置情報を取得する取得手段を備え、前記読出手段は、前記受信した信号から前記基準位置情報を取得し、前記各第１情報にて特定される携帯電話機それぞれに対する端末位置情報を取得するように前記取得手段を制御し、前記基準位置情報と前記取得手段にて取得した各端末位置情報とに基づいて、前記所定の位置から、各携帯電話機が存在する存在位置までの各距離を算出し、算出された各距離を用いて、所定の距離内に存在する１以上の携帯電話機の第１情報を前記記憶装置から読み出すとしてもよい。
【０１５６】
この構成によると、通信接続装置は、当該装置が設置された基準位置情報にて示される位置から所定の距離内に存在する１以上の携帯電話機を呼出の対象とするので、発信元である者は、呼出対象である１以上の携帯電話機それぞれの所有者のうち前記通信範囲から所定の距離内にいる者を、順次通話相手の対象とすることができる。
３．まとめ
本発明によれば、個人を特定しない、例えば、家族であれば誰でもよいなどという場合に、発信元の電話機からの接続要求を、極めて容易に実現することができる。
【０１５７】
３．１  変形例
本発明を上記の第１及び第２の実施の形態、それぞれの変形例に基づいて説明してきたが、本発明は、上記の第１及び第２の実施の形態、それぞれの変形例に限定されないのはもちろんである。以下の場合も本発明に含まれる。
（１）携帯電話機２０、２１、２２、２３、２４のそれぞれは、公衆基地局装置とＣＤＭＡによる通信を行うとしたが、これに限定されない。
【０１５８】
例えば、携帯電話機２０、２１、２２、２３、２４のそれぞれは、公衆基地局装置との通信方法は、ＧＳＭ（Ｇｌｏｂａｌ  Ｓｙｓｔｅｍ  ｆｏｒ  Ｍｏｂｉｌｅ）による通信であってもよし、ＰＤＣ（Ｐｅｒｓｏｎａｌ  Ｄｉｇｉｔａｌ  Ｃｅｌｌｕｌａｒ）による通信であってもよい。
（２）第１の実施の形態において、通信接続装置に割り当てられる代表電話番号は１個としたが、これに限定されない。通信接続装置に割り当てられる代表電話番号は、複数個でもよい。
【０１５９】
以下に、この場合の構成の一例を示す。ここでは、第１の実施の形態と異なる点のみ説明する。異なる点は、代表番号記憶領域と個別番号記憶領域の構成である。
代表番号記憶領域は、複数個の代表電話番号を予め記憶している。記憶されている各代表電話番号は、通信接続装置に割り当てられた電話番号であり、他の通信接続装置に割り当てられたものとは異なる電話番号である。
【０１６０】
個別番号記憶領域は、代表番号と個別電話番号と存在フラグと代表電話番号とを複数記憶するための領域を備える番号管理テーブルを有している。代表番号は、代表番号記憶領域にて記憶されている複数の代表電話番号のうちの１の代表電話番号であり、個別電話番号は、代表番号にて示されるグループに属する個別の電話番号を示す。存在フラグは、個別電話番号に示される携帯電話機が当該通信接続装置のエリア内に存在するか否かを示す。
【０１６１】
なお、１の個別の電話番号が２以上の代表電話番号にて示される各グループに属する場合には、番号管理テーブルには、各代表電話番号（つまり、各代表番号）に対して、１の個別の電話番号と存在フラグとが対応付けられて、格納される。例えば、１の個別の電話番号（以下、「電話番号Ａ」）が、２個の代表電話番号（以下、「電話番号Ｂ」、「電話番号Ｃ」）にて示されるグループに属する場合には、番号管理テーブルには、代表電話番号「電話番号Ｂ」と個別電話番号「電話番号Ａ」と存在フラグとからなる組と、代表電話番号「電話番号Ｃ」と個別電話番号「電話番号Ａ」と存在フラグとからなる組とが格納されている。
【０１６２】
上記の構成は一例であり、これに限定されない。代表電話番号と、その代表電話番号にて示されるグループに属する個別の電話番号とが対応付けられて格納されていればよい。
また、第２の実施の形態においても、通信接続装置に割り当てられる代表電話番号は、複数個でもよい。この場合の構成も、上記にて示す構成で実現できるため、説明は省略する。
【０１６３】
（３）第１及び第２の実施の形態において、携帯電話機３０は、携帯電話機２０、２１、２２、２３、２４にて構成されるグループには属さないとしたが、これに限定されない。
携帯電話機３０は、携帯電話機２０、２１、２２、２３、２４にて構成されるグループに属してもよい。このとき、通信接続装置は、携帯電話機３０から相手先の電話番号として代表電話番号を含む着信信号を受信すると、携帯電話機３０を呼出対象から除外し、残りの携帯電話機それぞれに割り当てられた電話番号から呼出対象となる電話番号を取得する。
【０１６４】
（４）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０１６５】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１６６】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（５）上記実施の形態及び上記変形例をそれぞれ組み合わせるとしてもよい。
【産業上の利用可能性】
【０１６７】
本発明は、代表電話番号を用いて、前記代表電話番号にて示されるグループに属する各携帯電話機の電話番号それぞれに対して呼出を行う通信接続装置を製造及び販売する産業において、経営的、つまり反復的かつ継続的に利用されうる。
【図面の簡単な説明】
【０１６８】
【図１】通信接続システム１の概要を示す図である。
【図２】通信接続装置１０の構成を示すブロック図である。
【図３】電話番号記憶部１０２にて記憶している情報を示す図である。
【図４】優先順位テーブルＴ１１０のデータ構造の一例を示す図である。
【図５】（ａ）は、呼出対象の電話番号を電話番号記憶部１０２にて記憶されている順序に従って作成された屋内用呼出リストＴ１２０のデータ構造の一例を示し、（ｂ）は、屋内用呼出リストＴ１２０の内容を優先順位に並び替えた場合の屋内用呼出リストＴ１２１のデータ構造の一例を示し、（ｃ）は、呼出に対する応答がない場合に、屋内用呼出リストＴ１２１の内容を更新した場合のデータ構造の屋内用呼出リストＴ１２２のデータ構造の一例を示す図である。
【図６】（ａ）は、呼出対象の電話番号を電話番号記憶部１０２にて記憶されている順序に従って作成された屋外用呼出リストＴ１３０のデータ構造の一例を示し、（ｂ）は、屋外用呼出リストＴ１３０の内容を優先順位に並び替えた場合の屋外用呼出リストＴ１３１のデータ構造の一例を示す図である。
【図７】通信接続装置１０が着信信号を受信した場合の動作を示す流れ図である。図８へ続く。
【図８】通信接続装置１０が着信信号を受信した場合の動作を示す流れ図である。図７から続き、図９へ続く。
【図９】通信接続装置１０が着信信号を受信した場合の動作を示す流れ図である。図８から続く。
【図１０】通信接続装置１０１０の構成を示すブロック図である。
【図１１】（ａ）は、呼出対象の電話番号を電話番号記憶部１１０２にて記憶されている順序に従って作成された位置情報管理リストＴ２００のデータ構造の一例を示し、（ｂ）は、位置情報管理リストＴ２００の内容を優先順位に並び替えた場合の位置情報管理リストＴ２０１のデータ構造の一例を示す図である。
【図１２】通信接続装置１０１０が着信信号を受信した場合の動作を示す流れ図である。図１３へ続く。
【図１３】通信接続装置１０１０が着信信号を受信した場合の動作を示す流れ図である。図１２から続き、図１４へ続く。
【図１４】通信接続装置１０１０が着信信号を受信した場合の動作を示す流れ図である。図１３から続く。
【符号の説明】
【０１６９】
１    通信接続システム
１０    通信接続装置
２０、２１、２２、２３、２４    携帯電話機
３０    携帯電話機
４０    位置登録サーバ
４１、４２    公衆基地局装置
４３    携帯電話回線網
１００    通信接続装置
１０１    回線ＩＦ部
１０２    電話番号記憶部
１０３    優先順位記憶部
１０４    呼出対象確認部
１０５    呼出処理部
１０６    無線ＩＦ部
１０７    アンテナ
１０８    通話処理部
１０９    転送処理部
１１０    登録部
１０１０    通信接続装置
１１０１    回線ＩＦ部
１１０２    電話番号記憶部
１１０３    優先順位記憶部
１１０４    呼出対象確認部
１１０５    呼出処理部
１１０６    無線ＩＦ部
１１０７    アンテナ
１１０８    通話処理部
１１０９    転送処理部
１１１０    登録部
１１１１    端末位置取得部
【図１】
2007110637.tif 000003
【図２】
2007110637.tif 000004
【図３】
2007110637.tif 000005
【図４】
2007110637.tif 000006
【図５】
2007110637.tif 000007
【図６】
2007110637.tif 000008
【図７】
2007110637.tif 000009
【図８】
2007110637.tif 000010
【図９】
2007110637.tif 000011
【図１０】
2007110637.tif 000012
【図１１】
2007110637.tif 000013
【図１２】
2007110637.tif 000014
【図１３】
2007110637.tif 000015
【図１４】
2007110637.tif 000016